(57)【特許請求の範囲】
【請求項１】
遊技領域が前面に形成された遊技盤と、前記遊技領域に設けられて遊技球が入賞可能な入賞口と、前記入賞口を開閉する開閉部材と、前記開閉部材および駆動源に連係するよう設けられた連係機構部と、前記駆動源を駆動して前記連係機構部を変位させることで前記開閉部材を閉鎖位置から開放位置へ変位させる開放制御を実行可能な開放制御手段とを備えた遊技機において、
前記連係機構部および前記開閉部材のうち何れかの位置を検出する位置検出手段と、
前記開放制御手段による開放制御が行われているかを判定する第１判定手段と、
前記位置検出手段による検出状態に基づいて前記開閉部材が前記閉鎖位置にあるかを判定する第２判定手段とを備え、
前記第１判定手段および前記第２判定手段による各判定に基づいて、前記開放制御手段による開放制御が終了したにも関わらず前記開閉部材が閉鎖位置に変位しない第１の異常開放状態が発生したかを判定すると共に、該開放制御手段による開放制御が行われていない状態で前記開閉部材が閉鎖位置から開放位置へ向けて変位する第２の異常開放状態が発生したかを判定するよう構成され、
前記第１の異常開放状態および前記第２の異常開放状態を相互に異なる態様で報知する報知手段を備えた
ことを特徴とする遊技機。
【請求項２】
前記第１判定手段および前記第２判定手段による各判定に基づいて、前記開放制御手段による開放制御が行われているにも関わらず前記開閉部材が閉鎖位置から開放位置側に変位しない開放不良状態が発生したかを判定するよう構成され、
前記報知手段は、前記第１の異常開放状態および前記第２の異常開放状態の夫々と異なる態様で前記開放不良状態を報知する請求項１記載の遊技機。
【請求項３】
前記入賞口に入賞した遊技球を検出する入賞検出手段と、
前記入賞検出手段の検出が有効な入賞有効期間を設定する有効期間設定手段と、
前記入賞有効期間以外に前記入賞検出手段の検出が発生したかを判定する不正入賞判定手段とを備え、
前記報知手段は、前記入賞有効期間以外における前記入賞検出手段の検出の発生を、前記第１の異常開放状態および前記第２の異常開放状態の夫々と異なる態様で報知する請求項１または２記載の遊技機。
【発明の詳細な説明】
【技術分野】
【０００１】
本発明は、入賞口を開閉する開閉部材を備え、制御手段の開放制御に応じて開閉部材を開放する遊技機に関するものである。
【背景技術】
【０００２】
遊技機の代表例の一つとしてのパチンコ機には、固定枠に開閉自在に組み付けられた本体枠に、パチンコ球が流下可能な遊技領域が前面側に形成された遊技盤が着脱自在に配設されている。遊技領域には、パチンコ球が入賞可能な入賞口が形成された入賞部が複数設けられており、該入賞部の入賞口にパチンコ球が入賞するか否かによって遊技者の興趣が高められる。また、遊技内容を変化に富んだものとするため、入賞部の形態の１つとして、入賞口を開閉する開閉部材を該入賞口に付随して設けた可変入賞部が採用されることがある。この可変入賞部は、制御手段の開放制御に応じて開閉部材を開放するよう構成されており、制御手段による開放制御がされていない場合は、開閉部材が閉鎖してパチンコ球が入賞口に入賞し得ないまたは入賞困難な状態となる。これに対し、近年では、可変入賞部の開閉部材を強制的に開放させてパチンコ球を不正に入賞させる行為が行われることがあり、当該不正行為への対策として、制御手段による開放制御がされていない状態で開閉部材を閉鎖維持するためのロック構造が採用されることもある(例えば、特許文献１)。
【先行技術文献】
【特許文献】
【０００３】
【特許文献１】特開２０１１−１７７２８０号公報
【発明の概要】
【発明が解決しようとする課題】
【０００４】
しかしながら、開放制御がされた際に開閉部材を閉鎖しないよう不正具で保持するといった行為が行われると、ロック構造を備えていたとしても開閉部材を閉鎖維持することはできず、ロック構造を採用するだけでは不正対策として万全とはいえない。ここで、入賞検出センサの球検出が予め定めた有効期間に発生したものかを判定することで不正行為による入賞が発生したことを識別することはできるが、実際に入賞が発生するまでは不正行為を識別し得ず、不正行為を早期に発見することができないという問題がある。
【０００５】
そこで本発明は、従来の技術に内在する前記問題に鑑み、これらを好適に解決するべく提案されたものであって、開閉部材の異常状態を識別可能な遊技機を提供することを目的とする。
【課題を解決するための手段】
【０００６】
前記課題を克服し、所期の目的を達成するため、本願請求項１に係る発明は、
遊技領域(22)が前面に形成された遊技盤(20)と、前記遊技領域(22)に設けられて遊技球が入賞可能な入賞口(52a)と、前記入賞口(52a)を開閉する開閉部材(60)と、前記開閉部材(60)および駆動源(SL1)に連係するよう設けられた連係機構部(62)と、前記駆動源(SL1)を駆動して前記連係機構部(62)を変位させることで前記開閉部材(60)を閉鎖位置から開放位置へ変位させる開放制御を実行可能な開放制御手段(33a)とを備えた遊技機において、
前記連係機構部(62)および前記開閉部材(60)のうち何れかの位置を検出する位置検出手段(SE3)と、
前記開放制御手段(33a)による開放制御が行われているかを判定する第１判定手段(33a)と、
前記位置検出手段(SE3)による検出状態に基づいて前記開閉部材(60)が前記閉鎖位置にあるかを判定する第２判定手段(33a)とを備え、
前記第１判定手段(33a)および前記第２判定手段(33a)による各判定に基づいて、前記開放制御手段(33a)による開放制御が終了したにも関わらず前記開閉部材(60)が閉鎖位置に変位しない第１の異常開放状態が発生したかを判定すると共に、該開放制御手段(33a)による開放制御が行われていない状態で前記開閉部材(60)が閉鎖位置から開放位置へ向けて変位する第２の異常開放状態が発生したかを判定するよう構成され、
前記第１の異常開放状態および前記第２の異常開放状態を相互に異なる態様で報知する報知手段(13c,13d,17,37,63a)を備えたことを要旨とする。
請求項１に係る発明によれば、第１判定手段および第２判定手段を備えることで、開閉部材の位置(開放位置および閉鎖位置)と制御とが一致しない異常な状態を識別することができる。すなわち、開放制御手段による開放制御が行われていないにも関わらず開閉部材が閉鎖位置にない場合に、開閉部材が意図的に開放されている可能性のある状態を識別することができ、開放制御手段による開放制御が行われているにも関わらず開閉部材が閉鎖位置にある場合に、開閉部材が開放不良により閉鎖している可能性のある状態を識別することができるから、不正行為や開放不良に対して早期に対処することができる。
【０００７】
請求項２に係る発明は、
前記第１判定手段(33a)および前記第２判定手段(33a)による各判定に基づいて、前記開放制御手段(33a)による開放制御が行われているにも関わらず前記開閉部材(60)が閉鎖位置から開放位置側に変位しない開放不良状態が発生したかを判定するよう構成され、
前記報知手段(13c,13d,17,37,63a)は、前記第１の異常開放状態および前記第２の異常開放状態の夫々と異なる態様で前記開放不良状態を報知することを要旨とする。
請求項３に係る発明は、
前記入賞口(52a)に入賞した遊技球を検出する入賞検出手段(SE2)と、
前記入賞検出手段(SE2)の検出が有効な入賞有効期間を設定する有効期間設定手段(33a)と、
前記入賞有効期間以外に前記入賞検出手段(33a)の検出が発生したかを判定する不正入賞判定手段(33a)とを備え、
前記報知手段(13c,13d,17,37,63a)は、前記入賞有効期間以外における前記入賞検出手段(SE2)の検出の発生を、前記第１の異常開放状態および前記第２の異常開放状態の夫々と異なる態様で報知することを要旨とする。
また、本願には、次のような技術的思想が含まれる。
前記入賞口(52a)への入賞を契機として球払出装置(19)を駆動制御して遊技球を払い出す払出制御手段(36)を備え、
前記開放制御手段(33a)による開放制御が行われていないことを前記第１判定手段(33a)が判定し、かつ前記開閉部材(60)が前記閉鎖位置にないことを前記第２判定手段(33a)が判定した場合に、前記入賞口(52a)への入賞を契機とした遊技球の払い出しが行われないよう前記払出制御手段(36)が前記球払出装置(19)を制御することを要旨とする。
上記構成によれば、開閉部材が意図的に開放されている可能性がある場合に、入賞口への入賞に伴う遊技球の払い出しが行われない状態とすることにより、不正入賞に伴う遊技球の払い出しを確実に防ぐことができる。
【０００８】
本願には、次のような技術的思想が含まれる。
情報を出力可能な出力手段(13c,13d,17,37,63a)を備え、
前記開放制御手段(33a)による開放制御が行われていないことを前記第１判定手段(33a)が判定し、かつ前記開閉部材(60)が前記閉鎖位置にないことを前記第２判定手段(33a)が判定した場合に、前記開閉部材(60)の異常開放に関する情報を前記出力手段(13c,13d,17,37,63a)が出力するようにしたことを要旨とする。
上記構成によれば、開閉部材が意図的に開放されている可能性がある場合に、開閉部材が異常な開放状態にあることの情報を出力することで、不正入賞の発生を未然に防ぐことができる。
【０００９】
本願には、次のような技術的思想が含まれる。
情報を出力可能な出力手段(17,37)を備え、
前記開放制御手段(33a)による開放制御が行われていることを前記第１判定手段(33a)が判定し、かつ前記開閉部材(60)が前記閉鎖位置にあることを前記第２判定手段(33a)が判定した場合に、前記開閉部材(60)の開放不良に関する情報を前記出力手段(17,37)が出力するようにしたことを要旨とする。
上記構成によれば、開閉部材の開放不良に関する情報を出力することで、遊技者に損害が生じるのを防ぐことができる。
【発明の効果】
【００１０】
本発明に係る遊技機によれば、開閉部材の異常状態を識別することができる。
【図面の簡単な説明】
【００１１】
【図１】本発明の好適な実施例に係るパチンコ機を、外枠に対して前枠を開放した状態で示す斜視図である。
【図２】実施例に係る遊技盤の斜視図である。
【図３】実施例に係る始動入賞ユニットであり、(a)は正面図を示し、(b)は斜視図を示している。
【図４】実施例に係る始動入賞ユニットの受け部材および案内部の関係を示す説明図である。
【図５】図３のＡ−Ａ線断面図であり、要部を拡大して示している。
【図６】実施例に係る始動入賞ユニットを背面側から見た斜視図である。
【図７】実施例に係る始動入賞ユニットを正面側から見た分解斜視図である。
【図８】実施例に係る始動入賞ユニットを背面側から見た分解斜視図である。
【図９】図３のＢ−Ｂ線断面図であって、(ａ)は、開閉部材が閉鎖位置にある状態を示しており、(ｂ)は、開閉部材が開放位置にある状態を示している。
【図１０】実施例に係る主制御ＣＰＵの制御状態を示すタイミングチャートであって、(ａ)は、始動入賞ソレノイドの励磁状態および消磁状態を示しており、(ｂ)は、有効フラグの状態を示しており、(ｃ)は、開閉検出センサの検出状態を示しており、(ｄ)は、開放不良エラーを判定する場合に計時される期間を示しており、(ｅ)は、第１の異常開放エラーを判定する場合に計時される期間を示しており、(ｆ)は、検出フラグの状態を示しており、(ｇ)は、第２の異常開放エラーを判定する場合に計時される期間を示している。
【図１１】実施例に係るパチンコ機のエラー報知態様を示す説明図である。
【図１２】実施例に係るパチンコ機の制御構成を示す説明図である。
【発明を実施するための形態】
【００１２】
次に、本発明に係る遊技機につき、好適な実施例を挙げて、添付図面を参照して以下に説明する。なお、実施例では、遊技球としてパチンコ球を用いて遊技を行うパチンコ機１０を例に挙げて説明する。また、以下の説明において、「前」、「後」、「左」、「右」とは、特に断りのない限りパチンコ機１０を前側(遊技者側)から見た状態で指称する。
【実施例】
【００１３】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、パチンコ球が流下可能な遊技領域２２が前面側に形成された遊技盤(遊技領域形成部材)２０を着脱可能に保持する本体枠としての中枠１２が開閉および着脱可能に組み付けられて、該遊技盤２０に、所定の特図当り判定条件(当り判定条件)の成立を契機として(後述する始動入賞口５１ａ,５２ａへのパチンコ球の入球(入賞)を契機として)、演出用の図柄(以下演出図柄という)を変動表示させて図柄組合せ演出を行う演出表示手段としての図柄表示装置１７(表示情報出力手段)が着脱可能に配設されている(図２参照)。また、前記中枠１２の前面側には、前記遊技盤２０の遊技領域２２と対応する位置に前後に開口する窓口１３ａが形成された装飾枠としての前枠１３が開閉可能に組み付けられている。そして、前枠１３には、ガラス板や透明な合成樹脂材で形成された透視保護部材１３ｂ(一部を図５に示している)が窓口１３ａを覆うよう配設されており、遊技盤２０を前側から透視可能な状態で保護している。透視保護部材１３ｂは、中枠１２に対して前枠１３を閉鎖した状態で、遊技盤２０の前方に離間する(具体的には、遊技盤２０の前面との間に１個のパチンコ球が通過可能な間隔をあけて離間する)よう配置されることで、当該透視保護部材１３ｂの後面と遊技盤２０の前面との前後間に前記遊技領域２２が形成されるようになっている。なお、図１では、透視保護部材１３ｂを省略してある。また、前記前枠１３における窓口１３ａの下方位置には、パチンコ球を貯留可能な球受け皿１４が設けられており、当該前枠１３と一体的に球受け皿１４を開閉し得るようになっている。実施例の前枠１３には、上下の位置関係で２つの球受け皿１４が組み付けられており、図１に上側の球受け皿１４のみを図示してある。なお、前記上下の球受け皿１４の一方および両方を、前枠１３とは個別に中枠１２に組み付けるようにしてもよい。また、中枠１２や前枠１３に、１つの球受け皿１４のみを備える構成とすることもできる。
【００１４】
パチンコ機１０の前面右下部(実施例では前枠１３の前面右下部)には、図１に示すように、前記中枠１２に配設された球発射装置１８を作動させる操作ハンドル１６が設けられる。この操作ハンドル１６は、左回転方向に付勢された操作レバー１６ａを備えており、該操作レバー１６ａを右回転するよう遊技者が回動操作することで球発射装置１８が作動されて、前記上側の球受け皿１４に貯留されたパチンコ球が前記遊技盤２０に向けて発射されるようになっている。ここで、操作レバー１６ａの回動量に応じて球発射装置１８によるパチンコ球の打球力が強弱変化するよう構成されており、遊技者が操作レバー１６ａの回動量を調節することで、前記遊技領域２２へのパチンコ球の打ち出し位置を任意に変更し得るようになっている。すなわち、遊技者が操作レバー１６ａを操作して回動量を調節することで、前記遊技盤２０に形成された第１の流下領域２２ａ(後述)にパチンコ球を流下させる所謂「左打ち遊技」と称される遊技形態、該遊技盤２０に形成された第２の流下領域２２ｂ(後述)にパチンコ球を流下させる所謂「右打ち遊技」と称される遊技形態とに切り替えて遊技を行い得るようになっている。
【００１５】
また、前枠１３には、窓口１３ａの外周を囲繞するよう枠ランプ(光出力手段)１３ｃが配設されると共に、前枠１３の上隅部に、音声や効果音を出力可能なスピーカ(音出力手段)１３ｄが配設されている。すなわち、枠ランプ１３ｃに設けられたＬＥＤ等の発光体(図示せず)を点灯・点滅したり、スピーカ１３ｄから適宜の音声を出力することで、前記図柄表示装置１７での図柄変動演出に合わせて演出を行い得るよう構成されている。すなわち、前枠１３に配設された枠ランプ１３ｃは、発光演出を実行可能な演出手段として機能すると共に、前枠１３に配設されたスピーカ１３ｄは、音演出を実行可能な演出手段として機能している。なお、球受け皿１４に対して枠ランプ１３ｃまたはスピーカ１３ｄを配設するよう構成してもよい。
【００１６】
パチンコ機１０の後面側には、遊技店内の図示しない球補給機構から補給されたパチンコ球を貯留する図示しない球貯留機構が配設されており、球貯留機構に設けた球貯留部と、パチンコ機１０の前面側に設けられた前記球受け皿１４とが、図示しない球通路により接続されている。また、球貯留機構には、パチンコ球を払い出す球払出装置１９(図１２参照)が配設されており、球貯留機構に貯留されているパチンコ球を球払出装置１９の駆動に応じて球受け皿１４に払い出すように構成されている。
【００１７】
ここで、実施例のパチンコ機１０の後面側(遊技盤２０の後面側)には、パチンコ遊技に関する統括的な制御を行う主制御基板３３(図１２参照)が配設されている。また、パチンコ機１０の後面側(遊技盤２０の後面側)には、主制御基板３３からの制御信号に基づいて演出に関する制御を行う演出制御基板３４(図１２参照)と、演出制御基板３４からの制御信号に基づいて図柄表示装置１７を制御する表示制御基板３５(図１２参照)が配設されている。更に、パチンコ機１０の後面側(中枠１２の後面側)には、主制御基板３３からの制御信号に基づいて球払出装置１９を駆動制御する払出制御基板３６(図１２参照)が配設されている。更にまた、パチンコ機１０の後面側(中枠１２の後面側)には、主制御基板３３の制御に基づいて、遊技に関する情報を外部(ホールコンピュータ)へ出力する外部情報出力端子盤(外部出力手段)３７が配設されている。
【００１８】
主制御基板３３(具体的には、主制御基板３３に備えられた主制御ＣＰＵ３３ａ)は、図１２に示すように、後述する各種センサ２７ｂ,ＳＥ１,ＳＥ２,ＳＥ３,ＳＥ４と電気的に接続されており、これらセンサ２７ｂ,ＳＥ１,ＳＥ２,ＳＥ３,ＳＥ４からの検出信号に基づいて制御を行うようになっている。具体的に、主制御基板３３は、後述する入球口２７ａ,５１ａ,５２ａ,９１ａ,９２ａ,９２ｂへのパチンコ球の入球(入賞)を検出する入賞検出センサ２７ｂ,ＳＥ１,ＳＥ２,ＳＥ４等が配線接続されており、入賞検出センサＳＥ１,ＳＥ２,ＳＥ４からの検出信号が入力されることを賞球の払出条件として所定数の賞球の払い出しを決定すると共に、当該主制御基板３３が払出制御基板３６に制御信号を出力して、払出制御基板３６が球払出装置１９に所定数の賞球を払い出させるようになっている。また、主制御基板３３は、後述する第２始動入賞口５２ａを開閉する開閉部材６０の異常状態を検出するための開閉検出センサ(位置検出手段)ＳＥ３と電気的に接続されており、該開閉検出センサＳＥ３からの検出信号に基づいて、開閉部材６０の異常状態や開放不良を報知するための情報を各種の出力手段１３ｃ,１３ｄ,１７,３７,６３(６３ａ)に出力させる制御を行うようになっている。
【００１９】
また、演出制御基板３４は、主制御基板３３からの制御信号を受けて前記図柄表示装置１７の表示内容を表示制御基板３５(図１２参照)に指示する(制御信号を出力する)ことで、該表示制御基板３５を介して図柄表示装置１７での図柄変動演出等の各種の表示内容を制御する。また、演出制御基板３４は、主制御基板３３からの制御信号を受けて、前記枠ランプ１３ｃの発光態様や、後述する遊技盤構成部品に設けられた遊技盤ランプ６３ａの発光態様を、図柄変動演出に合わせて制御したり、図柄変動演出に合わせて前記スピーカ１３ｄの音出力態様を制御したりするようになっている。なお、主制御基板３３、演出制御基板３４および表示制御基板３５とは別に備えた制御基板が、枠ランプ１３ｃの発光態様を制御したり、遊技盤ランプ６３ａの発光態様を制御したり、スピーカ１３ｄの音出力態様を制御したりするようにしてもよい。
【００２０】
(遊技盤２０について)
前記遊技盤２０は、合成樹脂材やベニヤ材等から所定板厚の略矩形状に形成されており、図２に示すように、略円形状の案内レール２３が前面(盤面)に配設されて前記遊技領域２２が前面側に画成されている。なお、遊技盤２０には、案内レール２３として、遊技盤２０の右下部から左上部にかけて円弧状に延在して遊技領域２２の左下側を画成する第１レール部２３ａと、遊技盤２０の左下部から右上部にかけて円弧状に延在して遊技領域２２の上部を画成する第２レール部２３ｂと、第１レール部２３ａの右下端部および第２レール部２３ｂの右上端部の間に位置して遊技領域２２の右部を画成する第３レール部２３ｃとが設けられており、遊技盤２０の前面における遊技領域２２の左側には、第２レール部２３ｂが第１レール部２３ａの外側に離間して位置することで、当該第１レール部２３ａおよび第２レール部２３ｂの間に、パチンコ球が通過可能な発射通路２５が画成されている。そして、前記球発射装置１８から発射されたパチンコ球が発射通路２５の下方開口から飛翔して、発射通路２５の上端に位置する発射口２５ａから遊技領域２２内に打ち出されるようになっている。なお、実施例の遊技盤２０は、ベニヤ材から形成された不透明な板状部材であって、遊技盤２０の前方から該遊技盤２０の後面側を透視し得ないようになっている。
【００２１】
前記遊技盤２０の前面には、前記遊技領域２２内の適宜位置に各種の遊技盤設置部品が配設されている。実施例では、遊技盤設置部品として、前記図柄表示装置１７の外側を囲む枠状装飾部材２８や、始動入賞口(入球口)５１ａ,５２ａが設けられた始動入賞ユニット(入賞装置、入球手段)５０や、特別入賞口(入球口)９１ａおよび普通入賞口(入球口)９２ａ,９２ｂが設けられた複合入賞ユニット(入賞装置、入球手段)９０や、ゲート口(入球口)２７ａが設けられたゲート部材２７(入球手段)等が遊技盤２０に配設されている。また、遊技盤２０には、パチンコ球を遊技領域２２の外部に排出するアウト口２４が遊技領域２２の最下部に開設されている。なお、実施例では、遊技領域２２の最下部に設けられたアウト口２４とは別に、パチンコ球を遊技領域２２の外部に排出する第２アウト口９４ａが複合入賞ユニット９０に設けられている(図２参照)。この第２アウト口９４ａに入球して遊技領域２２の外部に導かれたパチンコ球は、遊技盤２０の後面側に配設された排出路形成部材(図示せず)を通じて遊技盤２０の下方に排出される。なお、実施例において、「入賞ユニット」とは、複数の部材から構成されると共にパチンコ球が入賞可能な入賞口が形成されて、１つのユニットとして遊技盤２０に配設されるものを単に指すものであって、複数の入賞口が設けられる必要はなく、１つの入賞口を有するものでもよい。ここで、「入賞」とは、入球口のうちパチンコ球の入球によって賞球が払い出されることとなる特定の入球口(入賞口)にパチンコ球が入ることであって、実施例においては、入球口としての入賞口５１ａ,５２ａ,９１ａ,９２ａ,９２ｂにパチンコ球が入ることを「入賞」と指称することがある。また、「入球」とは、遊技領域２２に開口する入球口(入口)にパチンコ球が入ることであって、実施例においては、入球口としての入賞口５１ａ,５２ａ,９１ａ,９２ａ,９２ｂや、ゲート口２７ａや、アウト口２４,９４ａにパチンコ球が入ることを「入球」と指称することがある。
【００２２】
(枠状装飾部材２８について)
次に、前記枠状装飾部材２８について詳細に説明する。前記枠状装飾部材２８は、図２に示すように、前記遊技盤２０の前面より前方に突出して前記遊技領域２２側と前記図柄表示装置１７側とを区切る庇状部２８ａを備える。そして、枠状装飾部材２８が遊技盤２０に取り付けられた状態で、該枠状装飾部材２８の外側、具体的には庇状部２８ａと案内レール２３との間にパチンコ球が流下する流下領域２２ａ,２２ｂが画成されるようになっている。すなわち、遊技領域２２は、枠状装飾部材２８の左側に形成された第１の流下領域２２ａと、当該枠状装飾部材２８の右側に形成された第２の流下領域２２ｂとに区画されており、操作ハンドル１６の操作レバー１６ａを回動操作して打球力を調節することにより、パチンコ球を第１の流下領域２２ａに流下させる遊技形態(左打ち)およびパチンコ球を第２の流下領域２２ｂに流下させる遊技形態(右打ち)の何れかを遊技者が任意に選択し得るように構成されている。第１および第２の流下領域２２ａ,２２ｂには、ゲート部材２７が夫々配設されており、各流下領域２２ａ,２２ｂを流下するパチンコ球がゲート部材２７のゲート口２７ａを通過し得るようになっている。そして、遊技領域２２は、前記枠状装飾部材２８の下方位置において第１および第２の流下領域２２ａ,２２ｂが合流するようになっており、当該第１および第２の流下領域２２ａ,２２ｂが合流する合流領域に前記始動入賞ユニット５０および前記アウト口２４が設けられている。すなわち、遊技領域２２は、枠状装飾部材２８の左側および右側を流下したパチンコ球が、合流領域の下端に位置するアウト口２４まで流下し得ると共に、合流領域におけるアウト口２４より上方で第１始動入賞口５１ａや第２始動入賞口５２ａに入賞し得るよう構成されている。また、遊技領域２２の左下部には複合入賞ユニット９０が配設されており、該複合入賞ユニット９０に設けられた特別入賞口９１ａや普通入賞口９２ａ,９２ｂに、第１の流下領域２２ａを流下したパチンコ球が入賞し得るようになっている。
【００２３】
(ゲート部材２７について)
前記ゲート部材(入球部)２７は、図２に示すように、上下に貫通するようゲート口２７ａが形成されており、遊技領域２２(流下領域２２ａ,２２ｂ)を流下するパチンコ球がゲート部材２７の上方からゲート口２７ａに入球して該ゲート口２７ａを下方へ通過し得るようになっている。また、ゲート部材２７には、ゲート口２７ａを通過するパチンコ球を検出するゲートセンサ２７ｂ(図１２参照)が設けられている。このゲートセンサ２７ｂは、前記遊技盤２０の後面に配設された図示しない主制御基板３３に配線接続されており、該ゲートセンサ２７ｂから主制御基板３３(具体的には、主制御基板３３に設けられた主制御ＣＰＵ３３ａ)への球検出信号の入力(すなわちパチンコ球の検出)に伴って普図当り判定条件が成立するようになっている。そして、前記主制御基板３３(具体的には、主制御ＣＰＵ３３ａ)において、普図当り判定条件の成立に伴って、後述する特図当り判定条件が成立し易くなる状態(普図当り遊技)を生起させるか否かに関する普図当り判定が行われ、該普図当り判定の結果に応じて前記始動入賞ユニット５０に設けられた駆動源としての始動入賞ソレノイドＳＬ１(図３(ｂ)参照)が駆動制御されて、始動入賞ユニット５０に設けられた開閉部材６０が開閉動作するようになっている。すなわち、実施例のパチンコ機１０は、ゲートセンサ２７ｂによるパチンコ球の検出を契機として行われる普図当り判定の判定結果が当りの判定である場合に、前記始動入賞ユニット５０の第２始動入賞口５２ａを所定の開放条件で開放する普図当り遊技が行われて、当該第２始動入賞口５２ａへパチンコ球を入賞させ得る機会が与えられるようになっている。なお、普図当り判定の結果は、前記遊技盤２０の左下部に設けられた遊技情報表示部Ｍ(図１２参照)に停止表示される普通図柄(普図)によって報知されるようになっている。この遊技情報表示部Ｍは、主制御基板３３と配線接続された発光基板(図示せず)を備えており、該発光基板の発光体(ＬＥＤ)が主制御基板(主制御ＣＰＵ３３ａ)の制御により点灯および消灯されることで、複数種類の図柄(普図や、後述する特図)を表示し得るよう構成されている。
【００２４】
なお、主制御基板(主制御ＣＰＵ３３ａ)は、始動入賞口５１ａ,５２ａへのパチンコ球の入賞を契機として遊技者に有利な遊技状態である第２特典遊技状態を当り遊技終了後に付与する機能を備えている。第２特典遊技状態は、当該第２特典遊技状態が付与されていない状態と較べて前記第２始動入賞口５２ａへのパチンコ球の入賞回数を増加させることが容易な入賞容易状態である。具体的には、第２特典遊技状態では、(1)普図変動表示の変動時間の短縮、(2)普図当り確率を低確率から高確率に変動、(3)普図当り１回についての第２始動入賞口５２ａを開放する開閉部材６０の開放時間を増やすこと、により第２始動入賞口５２ａへのパチンコ球の入賞契機を増加することができる。なお、第２特典遊技状態では、上記(1)〜(3)を単独または複数を組み合わせることができる。なお、普図当り１回についての第２始動入賞口５２ａを開放する開閉部材６０の開放時間を増やすに際しては、開閉部材６０の開放時間を単純に延長することで実現してもよく、また開閉部材６０の開放回数を増やすことで実現することもでき、またこれらを複合させてもよい。なお、実施例では、第２特典遊技状態を変短状態と指称するものとし、実施例の変短状態は上記(1)〜(3)を組み合わせて設定されている。また、変短状態が付与されていない状態を非変短状態というものとする。なお、１回の普図当りにおいて第２始動入賞口５２ａの入賞上限数(実施例では３個)が設定されており、開閉部材６０を開放してからの入賞数が入賞上限個数(閉鎖条件)に達することで、開閉部材６０を閉鎖させるようになっている。
【００２５】
(始動入賞ユニット５０について)
前記始動入賞ユニット５０は、図２に示すように、前記枠状装飾部材２８の下方位置(アウト口２４の直上位置)に、前記第１始動入賞口５１ａが上方に常に開口するよう設けられており、前記第１の流下領域２２ａを流下するパチンコ球および前記第２の流下領域２２ｂを流下するパチンコ球が第１始動入賞口５１ａに入賞(入球)し得るようになっている。すなわち、始動入賞ユニット５０には、パチンコ球が常に入賞(入球)可能な第１始動入賞口５１ａを有する第１始動入賞部(入球部)５１が設けられている。また、始動入賞ユニット５０における第１始動入賞口５１ａの下側には、前方へ向けて開口するよう前記第２始動入賞口５２ａが設けられると共に、第２始動入賞口５２ａを開閉する開閉部材(可変手段)６０が配設されている。すなわち、始動入賞ユニット５０には、パチンコ球の入賞し易さ(入球の可否)が変化する第２始動入賞口５２ａを有する第２始動入賞部(入球部)５２が設けられている。始動入賞ユニット５０の内部には、開閉部材６０を開閉する駆動源としての前記始動入賞ソレノイドＳＬ１と、該始動入賞ソレノイドＳＬ１の駆動力を開閉部材６０に伝達する連係部材６２(後述)とが配設されている。始動入賞ソレノイドＳＬ１は、前記主制御基板３３に配線接続されており、該主制御基板３３(具体的には、主制御ＣＰＵ３３ａ)の制御に基づいて始動入賞ソレノイドＳＬ１が駆動されると、該始動入賞ソレノイドＳＬ１と連係接続された連係部材６２が変位すると共に、該連係部材６２と連係接続された開閉部材６０が、第２始動入賞口５２ａを閉鎖する閉鎖位置から該第２始動入賞口５２ａを開放する開放位置へと変位するよう構成されている。そして、開閉部材６０が開放位置にある状態において、前記第１の流下領域２２ａを流下するパチンコ球および前記第２の流下領域２２ｂを流下するパチンコ球が第２始動入賞口５２ａに入賞し得るように構成されている。なお、実施例の始動入賞ユニット５０は、開閉部材６０が閉鎖位置にある状態では第２始動入賞口５２ａにパチンコ球が入賞し得ないよう構成されている。
【００２６】
また、前記始動入賞ユニット５０には、図５に示すように、第１始動入賞口５１ａに入球したパチンコ球を検出(入賞検出)する検出手段としての第１始動入賞検出センサＳＥ１と、第２始動入賞口５２ａに入球したパチンコ球を検出(入賞検出)する検出手段としての第２始動入賞検出センサＳＥ２とが配設されている。第１始動入賞検出センサＳＥ１および第２始動入賞検出センサＳＥ２は、前記主制御基板３３に配線接続されており、該第１および第２始動入賞検出センサＳＥ１,ＳＥ２から主制御基板３３(具体的には、主制御ＣＰＵ３３ａ)への球検出信号の入力(すなわちパチンコ球の検出)に伴って特図当り判定条件が成立するようになっている。そして、主制御基板３３(具体的には、主制御ＣＰＵ３３ａ)において、特図当り判定条件の成立に伴って、遊技者に有利な特別遊技(大当り遊技や小当り遊技)を生起させるか否かに関する特図当り判定が行われ、該特図当り判定の結果に応じて前記複合入賞ユニット９０に配設された特別入賞ソレノイドＳＬ２(図１２参照)が駆動制御されて、複合入賞ユニット９０に配設されたシャッタ９１ｂが開閉動作するようになっている。また、主制御基板３３(具体的には、主制御ＣＰＵ３３ａ)は、第１および第２始動入賞検出センサＳＥ１,ＳＥ２から主制御基板３３への球検出信号の入力に伴って、規定数の賞球の払い出しを決定するようになっている。なお、特図当り判定の結果は、前記遊技盤２０の左下部に設けられた前記遊技情報表示部Ｍに表示されるようになっている。すなわち、遊技情報表示部Ｍに設けられた発光基板の発光体(ＬＥＤ)が主制御基板(主制御ＣＰＵ３３ａ)の制御により点灯および消灯されることで、複数種類の図柄(特図)を表示し得るよう構成されている。
【００２７】
前記始動入賞ユニット５０は、図３、図４および図５に示すように、前記遊技盤２０の前面に取着される始動台板５３と、始動台板５３の前面に配設されて第１始動入賞口５１ａを形成する受け部材５４と、始動台板５３の後面に組み付けられる始動本体部５５と、始動本体部５５の外面に着脱自在に組み付けられるセンサ保持体６７および基板カバー６５とを備えている。始動台板５３は、後述する案内部５８の形成部位を除いて略全体が平板状に形成されると共に、固定ネジを前後に挿通可能な固定孔Ｎａが外周縁部の複数箇所に開設されている。そして、始動台板５３の固定孔Ｎａに前側から挿通させた固定ネジを遊技盤２０の前面に螺挿して固定することで、始動入賞ユニット５０が前記枠状装飾部材２８およびアウト口２４の間に取り付けられ、遊技領域２２を流下するパチンコ球が第１始動入賞部５１に設けた第１始動入賞口５１ａに当該始動入賞ユニット５０の上方から入球し得るよう構成されると共に、遊技領域２２を流下するパチンコ球が始動台板５３の前側を流下して第２始動入賞部５２に設けた第２始動入賞口５２ａに入球し得るよう構成される。なお、詳しくは後述するが、始動本体部５５は、第１および第２始動入賞口５１ａ,５２ａに接続する球通路としての第１および第２始動入賞路５６,５７を内部に画成するものであり、該始動本体部５５の内部には、第１始動入賞検出センサＳＥ１、第２始動入賞検出センサＳＥ２、始動入賞ソレノイドＳＬ１および連係部材６２(後述)が配設されている。また、センサ保持体６７は、開閉部材６０が閉鎖位置にあるかを検出するための開閉検出センサＳＥ３(後述)が取り付けられる部材であり、始動本体部５５とは別体に形成されて、該始動本体部５５の後面に取り付けられている。更に、基板カバー６５は、始動入賞ユニット５０に備えられる基板６３(後述)を保護する部材であり、該基板６３の後面側を覆う状態で、該基板６３と共に始動本体部５５の後面に取り付けられる。
【００２８】
(始動入賞ユニット５０の第１始動入賞部５１について)
図３および図４に示すように、前記第１始動入賞部５１は、上方および後方に開口する箱状に設けられた前記受け部材５４を前記始動台板５３の前面上部に前側から組み付けることで構成されている。図４および図５に示すように、始動台板５３の前面上部には、当該始動台板５３を前後に貫通する連通口５３ａが形成されており、当該連通口５３ａを前側から覆うように受け部材５４が始動台板５３の前面に配設されることで、パチンコ球を遊技領域２２の外部へ向けて案内する受け領域５４ａが始動台板５３および受け部材５４の間に画成されて、該受け領域５４ａの後方開口が連通口５３ａに連通すると共に、受け領域５４ａが上方へ向けて開口して始動台板５３の前側に第１始動入賞口５１ａが画成される。これにより、第１始動入賞口５１ａと連通口５３ａとが連通すると共に、該連通口５３ａが第１始動入賞路５６と連通するよう構成されている。すなわち、第１始動入賞部５１に設けられた第１始動入賞口５１ａ、受け領域５４ａおよび連通口５３ａを通過したパチンコ球が、始動本体部５５(後述)に形成された第１始動入賞路５６を通過する過程で第１始動入賞検出センサＳＥ１により検出されるようになっている。
【００２９】
前記受け部材５４は、図４に示すように、前記始動台板５３の前側で上下に延在すると共に前方に延出する左右一対の側壁５４１と、これら一対の側壁５４１の前縁間を繋ぐように始動台板５３より前方で遊技盤２０の前面と平行に延在する前壁５４２と、一対の側壁５４１の下端を繋ぐように始動台板５３の前側で左右に略Ｕ字状に延在すると共に前方に延出する下壁(流路形成部)５４３とにより構成され、前記受け領域５４ａが、一対の側壁５４１、前壁５４２および下壁５４３の内側に形成されている。一対の側壁５４１は、対向する内面により受け領域５４ａの左右を画成すると共に、受け部材５４の左右の外面を形成している。左側の側壁５４１は、左下方に傾斜する傾斜壁を構成しており、第１の流下領域２２ａを流下して受け部材５４の左側の外側面(すなわち、左側の側壁５４１の外面)に接触したパチンコ球を左下側(始動入賞口５１ａ,５２ａから離間する側)へ向けて案内するよう構成される。また、右側の側壁５４１は、右下方に傾斜する傾斜壁を構成しており、第２の流下領域２２ｂを流下して受け部材５４の右側の外側面(すなわち、右側の側壁５４１の外面)に接触したパチンコ球を右下側(始動入賞口５１ａ,５２ａから離間する側)へ向けて案内するよう構成される。これにより、一対の側壁５４１は、下方に向かうにつれて互いに離間する「ハ」字状に延在するよう設けられており、遊技領域２２(流下領域２２ａ,２２ｂの何れか)を流下して受け部材５４の左右の外面(すなわち、側壁５４１の外面)に接触したパチンコ球を、始動入賞口５１ａ,５２ａが位置する遊技領域２２の左右方向中央から外側下方へ向けて案内するようになっている。
【００３０】
また、前記一対の側壁５４１の各内面には、他方の側壁５４１へ向けて左右方向に突出すると共に前後に延在する板状の突部５４１ａが、上下に離間するよう複数形成されている(図３(ｂ)および図４参照)。複数の突部５４１ａは、突出端部の位置が側壁５４１毎に上下に揃うように形成されて、左側の側壁５４１における複数の突部５４１ａの突出端部と、右側の側壁５４１における複数の突部５４１ａの突出端部との間に、受け領域５４ａが１個のパチンコ球が通過可能な通路幅で上下方向に直線状に延在するよう形成されている。ここで、一対の側壁５４１が「ハ」字状に設けられていることから、側壁５４１の内面に形成される突部５４１ａは、側壁５４１の下端に近いほど突出寸法が大きく形成されている。すなわち、一対の側壁５４１は、当該側壁５４１の下端に近いほど突出寸法が大きい複数の突部５４１ａの各突出端部を上下に揃えて受け領域５４ａを形成することにより、各側壁５４１の厚みが増すことに起因する成形上の不具合が生ずるのを防いでいる。
【００３１】
図４に示すように、前記受け部材５４の前記下壁５４３は、一方の側壁５４１の下端部に連続して他方の側壁５４１側に向けて左右方向に下方傾斜する一対の下側壁部５４４と、下壁５４３の下端を構成して、各下側壁部５４４の傾斜下端部を繋ぐように左右に水平に延在する下中壁部５４５とにより構成されている。一対の下側壁部５４４は、夫々が湾曲状に形成されており、凹面が前記受け部材５４の左下および右下に向いて、受け部材５４の左右方向中央側に近接するにつれて(後述する接触部５４６に近接するにつれて)次第に下方に偏倚して延在方向が鉛直方向に近づくように設けられている。すなわち、下側壁部５４４は、左右から接触してきたパチンコ球を下向きに案内するよう構成されている。なお、詳しくは後述するが、一対の下側壁部５４４は、第１および第２の流下領域２２ａ,２２ｂと第２始動入賞口５２ａの前側(後述する取込流路５９)とを連通する取込口５９ａ(後述)を、第２始動入賞口５２ａの左右に設けた一対の案内部５８(後述)との間に夫々形成している。
【００３２】
前記下壁５４３の中央部に位置する前記下中壁部５４５は、前記第２始動入賞口５２ａの開口上縁側に位置するよう設けられている。この下中壁部５４５の下面(すなわち外面)には、第２始動入賞口５２ａの前側(後述する取込流路５９)を移動するパチンコ球と接触可能な接触部５４６が、下方に突出するよう設けられている。この接触部５４６については後述する。
【００３３】
(始動入賞ユニット５０の第２始動入賞部５２について)
前記第２始動入賞部５２は、パチンコ球が通過可能な略矩形状の第２始動入賞口５２ａを前記始動台板５３の前面下部(受け部材５４および連通口５３ａの下方)に形成すると共に、前記始動本体部５５の前面に開閉可能に枢支した開閉部材６０を始動台板５３の後側から第２始動入賞口５２ａの開口内縁側に整合させることで構成されている。第２始動入賞口５２ａは、始動本体部５５(後述)に形成された第２始動入賞路５７と接続されており、該第２始動入賞口５２ａに入球したパチンコ球は第２始動入賞路５７を通過する過程で第２始動入賞検出センサＳＥ２により検出(入賞検出)されるようになっている。開閉部材６０は、第２始動入賞口５２ａをパチンコ球が入球し得ないように塞ぐ閉鎖位置と、遊技領域２２(合流領域)に突出して第２始動入賞口５２ａをパチンコ球が入球可能に開放する開放位置とに変位し得るようになっている。すなわち、開閉部材６０が第２始動入賞口５２ａを塞ぐ閉鎖位置にある場合には、開閉部材６０の上端(自由端)が第２始動入賞口５２ａの開口上縁部に位置して開閉部材６０の前側(第２始動入賞口５２ａの前側)をパチンコ球が上下に通過し得るようになり、開閉部材６０が第２始動入賞口５２ａを開放する開放位置にある場合には、開閉部材６０が前方に突出して第２始動入賞口５２ａの前側に流入したパチンコ球の下方への移動が開閉部材６０により阻止される。ここで、開閉部材６０は、開放位置にある状態で、第２始動入賞口５２ａの前方から当該第２始動入賞口５２ａの開口下縁部に向けて下方傾斜する誘導面６０ａを形成する。そして、前記開放位置において、第２始動入賞口５２ａの前側で開閉部材６０に受け止められたパチンコ球が当該開閉部材６０の誘導面６０ａにより誘導されて第２始動入賞口５２ａに入球するようになっている。
【００３４】
ここで、前記始動台板５３には、図３(ｂ)および図５に示すように、第２始動入賞口５２ａの開口上縁側には、前記受け部材５４が前方に突出するよう設けられており、開閉部材６０は、受け部材５４の前記下壁５４３の下方に、パチンコ球が通過可能な間隔をあけて前記誘導面６０ａを形成するようになっている。すなわち、第２始動入賞部５２は、第２始動入賞口５２ａを開放する開放位置において該第２始動入賞口５２ａの前側に突出する開閉部材６０の誘導面６０ａと、第２始動入賞口５２ａの開口上縁側に設けられた受け部材５４の下壁５４３との間に、第２始動入賞口５２ａと前後に連通する流路を形成するようになっている。そこで、以下の説明では、下壁５４３と誘導面６０ａとの間に画成される流路を「取込流路５９」と指称することがある。また、取込流路５９は、図４に示すように、第２始動入賞口５２ａと前後に連通するよう当該第２始動入賞口５２ａの前側に形成される。
【００３５】
前記第２始動入賞部５２には、図３、図４および図５に示すように、前記始動台板５３における第２始動入賞口５２ａを挟む左右両側に、前記受け部材５４の下壁５４３(具体的には、下側壁部５４４)に対してパチンコ球の直径(約１１ｍｍ)より大きく離間する一対の案内部５８が、前方に突出するよう設けられている。そして、第１の流下領域２２ａを流下するパチンコ球が、下壁５４３(左側の下側壁部５４４)と左側の案内部５８との間を通って第２始動入賞口５２ａの前側領域(取込流路５９)に流入すると共に、第２の流下領域２２ｂを流下するパチンコ球が、下壁５４３(右側の下側壁部５４４)と右側の案内部５８との間を通って第２始動入賞口５２ａの前側領域(取込流路５９)に流入するよう構成されている。すなわち、取込流路５９は、取込口５９ａが左方および右方に向けて開口するように形成されており、左側の下側壁部５４４と左側の案内部５８とが、第１の流下領域２２ａ(遊技領域２２)に開口する取込流路５９の取込口５９ａを画成すると共に、右側の下側壁部５４４と右側の案内部５８とが、第２の流下領域２２ｂ(遊技領域２２)に開口する取込流路５９の取込口５９ａを画成するようになっている。
【００３６】
取込口５９ａを画成する前記一対の案内部５８は、各上面が互いに近接する側へ向けて左右方向に下方傾斜する横向き台形状に形成され、上面全体が開閉部材６０の誘導面６０ａの傾斜上端部より高い位置に設けられている。具体的に、左側の案内部５８の上面は、右方へ向けて下方傾斜する案内面５８ａを構成して、パチンコ球を第１の流下領域２２ａ側から取込流路５９へ向けて案内し得ると共に、右側の案内部５８の上面は、左方へ向けて下方傾斜する案内面５８ａを構成して、パチンコ球を第２の流下領域２２ｂ側から取込流路５９へ向けて案内し得るようになっている。すなわち、遊技領域２２から左右何れかの案内面５８ａ上に載ったパチンコ球は、案内面５８ａの傾斜に沿って傾斜下端部まで案内されると、当該案内面５８ａの傾斜下端部より低い位置に形成された誘導面６０ａに受け渡されて、該誘導面６０ａの傾斜方向に従って第２始動入賞口５２ａ側に誘導される。ここで、取込口５９ａを画成する前記下側壁部５４４は、受け部材５４の左右方向中央側に近接するにつれて下方(案内面５８ａ側)に偏倚して延在方向が次第に垂直方向に近づく湾曲状に設けられている。そして、取込口５９ａは、図４に示すように、流下領域２２ａ,２２ｂ側の開口幅Ｌ１よりも、取込流路５９の中央側の開口幅Ｌ２が小さくなるよう形成されることで、流下領域２２ａ,２２ｂから取込流路５９に流入するパチンコ球を整流して、誘導面６０ａ上に導くパチンコ球の勢いを低減させ得るように構成されている。
【００３７】
このように、実施例では、始動台板５３の前側における第２始動入賞口５２ａの左右両側に、パチンコ球を案内する案内面５８ａを固定的に設けて、該案内面５８ａと受け部材５４の下側壁部５４４(下壁５４３)とで取込口５９ａを画成している。そして、開閉部材６０が閉鎖位置から開放位置に変位した場合に、当該開閉部材６０(誘導面６０ａ)が第２始動入賞口５２ａの前側に取込流路５９を画成するように構成されて、遊技領域２２(流下領域２２ａ,２２ｂ)を流下するパチンコ球が取込口５９ａを通過して取込流路５９に案内されると、該パチンコ球が誘導面６０ａにより取込流路５９から第２始動入賞口５２ａに取り込まれるようになっている。なお、開閉部材６０が閉鎖位置にある状態では、左右一方の案内面５８ａや左右一方の下側壁部５４４に案内されて取込口５９ａを通過したパチンコ球が、一対の案内部５８の間(合流領域)をアウト口２４へ向けて下方に通過するようになっている。
【００３８】
ここで、実施例の第２始動入賞部５２は、図５に示すように、開閉部材６０が開放位置にある状態において、前記開閉部材６０の誘導面６０ａが、前記案内部５８の案内面５８ａの傾斜下端部よりも低い位置で第２始動入賞口５２ａへ向けて下方傾斜するのに対し、誘導面６０ａの傾斜上端部よりも高い位置に設けられる案内面５８ａは、緩やかに左右に傾斜する一方で前後の傾きが(殆ど)ない前後方向に水平な平面として形成されている。これにより、第２始動入賞部５２は、始動台板５３に近接する後端側では、各案内面５８ａの傾斜下端部と誘導面６０ａの傾斜上端部との間に一定の高低差Ｌ３,Ｌ４が生ずる一方で、始動台板５３から離間する前端側では、各案内面５８ａの傾斜下端部と誘導面６０ａの傾斜上端部との間における高低差Ｌ５が、始動台板５３に近接する後端側よりも小さくなるように構成されている。具体的には、各案内面５８ａの傾斜下端部と誘導面６０ａの傾斜上端部との間における高低差Ｌ５が、パチンコ球の半径(約５．５ｍｍ)より小さくなる(より詳しくは、パチンコ球の半径の２分の１以下となる)よう設けられている。このように、第２始動入賞部５２は、案内面５８ａおよび誘導面６０ａを上下に近接させて取込流路５９の上下寸法を最小限とすることで、案内面５８ａから誘導面６０ａにパチンコ球を受け渡し得る構成としつつ、第２始動入賞部５２全体を上下にコンパクトに構成している。しかしながら、単に案内面５８ａの傾斜下端部と誘導面６０ａの傾斜上端部との高低差Ｌ５を小さく構成するだけでは、以下の問題が生じ得る。すなわち、左右一方の取込口５９ａから取込流路５９に流入するパチンコ球の勢いが比較的強い場合に、該パチンコ球が誘導面６０ａの傾斜上端部を左右方向に転動して通過すると共に他方の案内面５８ａに乗り上げ、この他方の案内面５８ａを傾斜方向に逆らって移動して遊技領域２２に落下し得る。またこの場合において、誘導面６０ａの傾斜上端部と、前記前枠１３の前記透視保護部材１３ｂ(図５参照)の後面とで、パチンコ球が２点支持された状態(図５の拡大図を参照)となると、該パチンコ球が誘導面６０ａおよび透視保護部材１３ｂの間に挟まって開閉部材６０が閉鎖し得なくなったり、誘導面６０ａと透視保護部材１３ｂとの間で安定して容易に誘導面６０ａの傾斜上端部を左右方向に横切り、他方の案内面５８ａに乗り上げたりすることになる。そこで、実施例の第２始動入賞部５２は、以下に説明するように、接触部５４６を設け、取込流路５９を移動するパチンコ球が接触部５４６に接触するよう構成することで、接触部５４６に接触したパチンコ球を速やかに第２始動入賞口５２ａへ案内し得るようにして、左右一方の取込口５９ａから取込流路５９に流入したパチンコ球が誘導面６０ａおよび透視保護部材１３ｂの間に挟まったり、他方の取込口５９ａから遊技領域２２側に排出されたりするのを防止している。
【００３９】
図３および図４に示すように、前記受け部材５４の前記下壁(流路形成部)５４３の下端(下中壁部５４５)には、下方へ向けて突出するよう接触部５４６が設けられている。接触部５４６は、下壁５４３における左右方向の中央部(具体的には、下中壁部５４５の左右方向中央部)において前後に延在するよう設けられている。この接触部５４６は、第２始動入賞口５２ａの前側に位置しており、左右一方の取込口５９ａから取込流路５９に流入したパチンコ球に接触することで、取込流路５９を他方の取込口５９ａへ向かって左右方向に移動するパチンコ球の勢いを誘導面６０ａ上で低減させて該パチンコ球を誘導面６０ａの傾斜方向に向かわせ、これにより他方の取込口５９ａから遊技領域２２側に排出されるのを防止し得るように構成されている。
【００４０】
ここで、前記接触部５４６は、当該第２始動入賞口５２ａの開口左縁部との間にパチンコ球が通過し得る間隔をあけて設けられると共に、当該第２始動入賞口５２ａの開口右縁部との間にパチンコ球が通過し得る間隔をあけて設けられている。具体的には、図４に示すように、接触部５４６の左右方向の厚み寸法Ｗ１は、正面視で当該接触部５４６の左側および右側に区画される第２始動入賞口５２ａにおける開口左部の左右寸法Ｗ２および開口右部の左右寸法Ｗ３が、何れもパチンコ球の直径以上となるように設定されている。すなわち、左側の取込口５９ａから取込流路５９に流入して接触部５４６に接触したパチンコ球が誘導面６０ａの傾斜に沿って第２始動入賞口５２ａの開口左部に入球し得ると共に、右側の取込口５９ａから取込流路５９に流入して接触部５４６に接触したパチンコ球が誘導面６０ａの傾斜に沿って第２始動入賞口５２ａの開口右部に入球し得るようになっている。なお、正面視で当該接触部５４６の左側および右側に区画される第２始動入賞口５２ａにおける開口左部の左右寸法Ｗ２や開口右部の左右寸法Ｗ３がパチンコ球の直径以下であっても、第２始動入賞口５２ａに対して接触部５４６を前方に離間させることで、第２始動入賞口５２ａの開口側縁部と接触部５４６との間からパチンコ球を左斜めまたは右斜めに第２始動入賞口５２ａに入球させ得る構成とすることができる。また、実施例では、第２始動入賞口５２ａにおける開口左部の左右寸法Ｗ２と開口右部の左右寸法Ｗ３とが同じに設定されているが、異なる寸法としてもよい。
【００４１】
前記接触部５４６は、図５に拡大して示すように、開放位置にある開閉部材６０(誘導面６０ａ)より前側に位置する前部５４６ａと、開放位置にある開閉部材６０(誘導面６０ａ)の上方に位置する後部５４６ｂとにより構成されている。ここで、受け部材５４の下中壁部５４５から下方へ向けた前部５４６ａの突出最大寸法Ｌ８は、後部５４６ｂの突出寸法Ｌ６,Ｌ７よりも大きく設定されている。そして、前部５４６ａの突出端が位置する高さ位置と、誘導面６０ａの傾斜上端部が位置する高さ位置との差は、パチンコ球の直径以下(更には、パチンコ球の直径より小さい後述の寸法Ｌ９以下)に設定されている。すなわち、左右一方の取込口５９ａから取込流路５９に流入したパチンコ球が誘導面６０ａの傾斜上端部と前記透視保護部材１３ｂの後面とに当接した状態で左右方向に移動する場合に、その移動先側に接触部５４６の前部５４６ａが位置することで、当該前部５４６ａにパチンコ球を確実に接触させて他方の案内面５８ａに乗り上げるのを防ぎ得るように構成されている。また、前部５４６ａは、前端から後端にかけて急激に突出寸法が減少するよう設けられている(なお、後述する後部５４６ｂは、前部５４６ａに連なる前端から第２始動入賞口５２ａの開口上縁部に連なる後端にかけて、前部５４６ａよりも緩やかに突出寸法が減少するよう設けられている)。これにより、前部５４６ａは、誘導面６０ａの傾斜上端部と透視保護部材１３ｂの後面とに当接した状態で左右方向に移動してくるパチンコ球の前端部分に接触することで、円弧状の突出端面によりパチンコ球を後方(第２始動入賞口５２ａ側)に跳ね返して、パチンコ球の進行方向を速やかに誘導面６０ａの傾斜方向に変更し得るように構成されている。
【００４２】
図５に示すように、前記接触部５４６の後部５４６ｂは、前記第２始動入賞口５２ａに対して離間する前端側から該第２始動入賞口５２ａと近接する後端側に向かうにつれて下方への突出寸法が次第に小さくなるよう設けられている。具体的には、後部５４６ｂは、誘導面６０ａの傾斜上端部と、その真上に位置する後部５４６ｂの前端部との間の上下寸法Ｌ９が、パチンコ球の直径以下とされる一方、後部５４６ｂおよび誘導面６０ａの間の上下寸法が後側に向かうにつれ次第に大きくなり、取込流路５９の後端部Ｃでは、後部５４６ｂおよび誘導面６０ａの間の上下寸法がパチンコ球の直径以上となるように設定されている。これは、誘導面６０ａが、第２始動入賞口５２ａへ向けて下方傾斜していること、および接触部５４６の後部５４６ｂが、第２始動入賞口５２ａに近接するにつれて下方への突出寸法が次第に小さくなるよう設けられていることによるものである。すなわち、取込流路５９の前端部Ａでは、後部５４６ｂおよび誘導面６０ａの間をパチンコ球が通過しようとすると後部５４６ｂに接触するようにして、強制的にパチンコ球を誘導面６０ａの傾斜方向に誘導する。一方、取込流路５９の後端部Ｃでは、誘導面６０ａの上を移動するパチンコ球が後部５４６ｂに接触しないようにしている。
【００４３】
ここで、実施例の第２始動入賞部５２は、取込流路５９の前端部Ａにおける案内面５８ａの傾斜下端部と誘導面６０ａとの高低差(案内面５８ａの傾斜下端部と誘導面６０ａの傾斜上端部との高低差)Ｌ５よりも、取込流路５９の中間部Ｂにおける案内面５８ａの傾斜下端部と誘導面６０ａとの高低差Ｌ４の方が大きく、当該高低差Ｌ４よりも、取込流路５９の後端部Ｃにおける案内面５８ａの傾斜下端部と誘導面６０ａとの高低差Ｌ３の方が大きくなるように構成されていることから、取込流路５９の前端部Ａをパチンコ球が左右方向に移動する場合よりも、取込流路５９の中間部Ｂをパチンコ球が左右方向に移動する場合のほうが、誘導面６０ａから案内面５８ａへのパチンコ球の乗上げが生じ難く、取込流路５９の中間部Ｂをパチンコ球が左右方向に移動する場合よりも、取込流路５９の後端部Ｃをパチンコ球が左右方向に移動する場合のほうが、誘導面６０ａから案内面５８ａへのパチンコ球の乗上げが生じ難いといえる。
【００４４】
これに対し、取込流路５９の前端部Ａに向けた後部５４６ｂの前端部の突出寸法よりも、取込流路５９の中間部Ｂに向けた後部５４６ｂの中間部の突出寸法Ｌ７を小さくし、当該突出寸法Ｌ７よりも、取込流路５９の後端部Ｃに向けた後部５４６ｂの後端部の突出寸法Ｌ６を小さくしている。すなわち、誘導面６０ａから案内面５８ａへのパチンコ球の乗上げが生じ難い前後位置においては、接触部５４６の後部５４６ｂにおける下方への突出寸法を小さくすることで、取込流路５９の後端側でのパチンコ球の移動を接触部５４６の後部５４６ｂが無暗に妨害しないようにして、当該パチンコ球を速やかに第２始動入賞口５２ａに入球させ得るように構成されている。
【００４５】
但し、後部５４６ｂの突出端部は、前端から後端にかけて、案内面５８ａの傾斜下端部の高さ位置に対してパチンコ球の直径以上に上方に離間しないよう設定されている。これにより、一方の案内面５８ａの傾斜下端部から他方の案内面５８ａへ向けて、誘導面６０ａを飛び越えるように水平に移動しようとするパチンコ球があったとしても、当該パチンコ球が接触部５４６の後部５４６ｂと接触することとなり、確実に誘導面６０ａの傾斜方向(すなわち第２始動入賞口５２ａ側)にパチンコ球を誘導し得る。
【００４６】
(始動本体部５５について)
図６および図７に示すように、前記始動本体部５５は、前記始動台板５３の後面側に取り付けられ、前記始動入賞路５６,５７を形成する複数の入賞路形成部材５５ａ,５５ｂ,５５ｃにより構成されている。具体的に、始動本体部５５は、始動台板５３の後面に取り付けられる第１入賞路形成部材５５ａと、この第１入賞路形成部材５５ａの後面に取り付けられる第２入賞路形成部材５５ｂと、この第２入賞路形成部材５５ｂの後面に取り付けられる第３入賞路形成部材５５ｃとにより構成されている。
【００４７】
図７および図８に示すように、前記第１入賞路形成部材５５ａの上部には、左右に延在すると共に後方へ向けて開口する凹状の第１凹部７１が設けられている。そして、第１凹部７１と、第２入賞路形成部材５５ｂの前面との間に、第１始動入賞口５１ａに接続して該第１始動入賞口５１ａの後方位置から左側に下方傾斜する第１始動入賞路５６の上流部分が画成されている。また、第１入賞路形成部材５５ａの下部には、前方へ開口する凹状の第２凹部７２が設けられている。この第２凹部７２は、第２始動入賞口５２ａに接続する第２始動入賞路５７の上流部分を該第２始動入賞口５２ａの後方位置に画成するものであり、第２始動入賞口５２ａの大きさに対応して、パチンコ球の直径の２倍以上の左右寸法となるよう設けられている。更に、第１入賞路形成部材５５ａには、第１凹部７１および第２凹部７２の右側に、上下に延在すると共に後方へ向けて開口する凹状の第３凹部７３が設けられている。この第３凹部７３は、第２入賞路形成部材５５ｂの右部に形成された後述する第４凹部７４との間に、前記始動入賞ソレノイドＳＬ１および前記連係部材６２を配設するための空間を画成している。
【００４８】
図７および図８に示すように、前記第２入賞路形成部材５５ｂの上部には、前記第１始動入賞路５６の上流部分を画成する壁(第１凹部７１と対向する壁)の左端部に、前後に貫通する第１貫通口７５が形成されている。また、第２入賞路形成部材５５ｂの下部には、前記第２凹部７２の後側に重なる壁に、前後に貫通する第２貫通口７６が形成されている。そして、第１貫通口７５および第２貫通口７６を後側から覆うように第２入賞路形成部材５５ｂの後面に前記第３入賞路形成部材５５ｃが取り付けられて、第１始動入賞路５６および第２始動入賞路５７の各下流部分が当該第２および第３入賞路形成部材５５ｃの間に画成される。これにより、第１始動入賞路５６の上流部分と下流部分とが第１貫通口７５を介して連通すると共に、第２始動入賞路５７の上流部分と下流部分とが第２貫通口７６を介して連通するようになっている。ここで、第２入賞路形成部材５５ｂの上部の後面側には、前記第１始動入賞検出センサＳＥ１が取り付けられ、第１始動入賞路５６の上流部分から下流部分へと移動するパチンコ球を検出し得るように構成されている。また、第２入賞路形成部材５５ｂの下部の前面側には、前記第２始動入賞検出センサＳＥ２が取り付けられ、第２始動入賞路５７の上流部分から下流部分へと移動するパチンコ球を検出し得るように構成されている。なお、第３入賞路形成部材５５ｃは、第２入賞路形成部材５５ｂの右部を避けた位置(すなわち、第３凹部７３や後述する第４凹部７４の後方領域を避けた位置)を後側から覆うように該第２入賞路形成部材５５ｂの後面に取り付けられている。これにより、第２入賞路形成部材５５ｂに形成された検出用窓口７４ａ(後述)を第３入賞路形成部材５５ｃが塞がないようになっている。
【００４９】
前記第２入賞路形成部材５５ｂの右部には、上下に延在すると共に前方へ向けて開口する凹状の第４凹部７４(図７および図８参照)が設けられている。そして、第４凹部７４と、前記第１入賞路形成部材５５ａの前記第３凹部７３との間に画成される空間に、前記始動入賞ソレノイドＳＬ１および前記連係部材６２が配設されるようになっている。なお、始動入賞ソレノイドＳＬ１は、図９に示すように、ソレノイド本体ＳＬ１ａと、該ソレノイド本体ＳＬ１ａに対して往復動作を行うプランジャＳＬ１ｂと、該プランジャＳＬ１ｂに配設された圧縮バネＳＬ１ｃとを備えたもので、圧縮バネＳＬ１ｃによってプランジャＳＬ１ｂが突出方向へ付勢されるよう構成されている。そして、始動入賞ソレノイドＳＬ１は、プランジャＳＬ１ｂの突出方向を下方に向けた状態で、第３凹部７３および第４凹部７４の内側上部に収容されている。
【００５０】
また、第３凹部７３および第４凹部７４の内側空間の下部には、前記始動入賞ソレノイドＳＬ１の駆動力を前記開閉部材６０に伝達するための連係部材(連係機構部)６２が収容されている。連係部材６２は、プランジャＳＬ１ｂの先端部と係合(連係)可能に設けられた連係本体部６２ａを備えると共に、この連係本体部６２ａの後端部から左右両側へ延出する軸突部６２ｂと、連係本体部６２ａから前方へ延出する作用部６２ｃと、連係本体部６２ａから後方へ延出する被検出片６２ｄとを備えるように構成されている。軸突部６２ｂは、第３凹部７３に設けられた連係用軸受部７３ａ(図８参照)に後側から挿入された状態で、第１入賞路形成部材５５ａおよび第２入賞路形成部材５５ｂを前後に組み付けることで枢支されている。これにより、連係部材６２は、軸突部６２ｂを中心として上下に揺動し得るよう構成される。連係本体部６２ａは、上方に開口する箱状に設けられており、プランジャＳＬ１ｂの先端部を上から挿入して係合させることで、軸突部６２ｂよりも前側に位置する部分(連係本体部６２ａの略全体)がプランジャＳＬ１ｂと共に上下に揺動するようになっている。
【００５１】
前記連係本体部６２ａの前面側に設けられた前記作用部６２ｃは、図９に示すように、前記開閉部材６０と連係するよう設けられ、連係部材６２の上下への揺動に伴って上下方向に変位することで前記開閉部材６０を開閉させ得るようになっている。具体的に、開閉部材６０は、図７に示すように、第２始動入賞口５２ａの開口内縁に略整合する矩形板状に形成されており、下端部には、左右に突出する円筒状の軸筒６０ｂが設けられている。そして、左右に延在する棒状の軸ピン６１を開閉部材６０の左右の軸筒６０ｂに挿通して、第１入賞路形成部材５５ａの前面に設けられた開閉用軸受部５５ｄで支持することで、開閉部材６０が軸ピン６１(軸筒６０ｂ)を中心として(第２始動入賞口５２ａの開口下縁部に沿う軸線を中心として)前後に揺動し得るよう構成されている。そして、開閉部材６０の軸筒６０ｂには、前記連係部材６２の作用部６２ｃと連係する被作用部６０ｃが、軸ピン６１に対する交差方向(具体的には、開閉部材６０が閉位置にある状態での後方)へ向けて延出するよう設けられている。被作用部６０ｃは、延出端部が後方へ向けて開口するコ字状に設けられており(図９参照)、作用部６２ｃが連係部材６２から前方へ延出して被作用部６０ｃの内側に挿入されている。
【００５２】
ここで、前記始動入賞ソレノイドＳＬ１の消磁状態(図９(ａ)に示す状態)では、前記プランジャＳＬ１ｂが前記圧縮バネＳＬ１ｃの付勢力により突出状態となることで、連係部材６２の連係本体部６２ａが揺動下端側に位置する。この場合には、連係部材６２の作用部６２ｃが開閉部材６０の被作用部６０ｃを押し下げた状態となり、開閉部材６０が閉鎖位置に維持される。一方、始動入賞ソレノイドＳＬ１が励磁されると(図９(ｂ)に示す状態)、プランジャＳＬ１ｂが圧縮バネＳＬ１ｃの付勢力に抗して退避方向(上方)へと変位することで、連係本体部６２ａが揺動上端側へ変位する。この場合に開閉部材６０は、連係部材６２の作用部６２ｃが被作用部６０ｃを押し上げることで開放位置へ向けた途中位置まで変位し、該途中位置を過ぎると自重により前側に傾倒して、第２始動入賞口５２ａを開放する開放位置に維持される。
【００５３】
前記連係本体部６２ａの後面側に設けられた前記被検出片６２ｄは、図９に示すように、連係本体部６２ａの上下への揺動に伴い、後述する開閉検出センサＳＥ３による検出位置を通過する範囲で上下方向に変位するよう構成されている。ここで、第２入賞路形成部材５５ｂにおける第４凹部７４には、前後に貫通する検出用窓口７４ａが形成されており、被検出片６２ｄが検出用窓口７４ａの内側で上下に変位するよう連係部材６２が第３凹部７３および第４凹部７４の内側に配設されている。すなわち、連係部材６２の被検出片６２ｄは、検出用窓口７４ａを通じて始動本体部５５の後方に突出するように設けられている。この検出用窓口７４ａには、後述するセンサ保持体６７に固定された開閉検出センサＳＥ３が後側から挿入され、該検出用窓口７４ａ内で上下に変位する被検出片６２ｄが上端側にある場合に当該被検出片６２ｄを開閉検出センサＳＥ３が検出し得るよう構成されている。
【００５４】
(基板６３および基板カバー６５について)
図８および図９に示すように、前記始動本体部５５の後面側には、配線部材が接続される基板６３と、この基板６３の後面を覆う基板カバー６５とが配設されている。実施例の基板６３は、遊技盤ランプ６３ａ(光出力手段)としての発光体(ＬＥＤ)が前面に設けられた発光基板(ＬＥＤ基板)であり、前記演出制御基板３４に繋がる配線部材のコネクタと接続されるコネクタ接続部ＣＮ１が後面に設けられている。なお、基板６３の遊技盤ランプ６３ａは、前記開閉部材６０の後方位置に設けられており、開閉部材６０が開放位置にある状態では、前後に延在する前記第２始動入賞路５７を通じて遊技盤２０の前方へ向けて光を照射し得るようになっている。
【００５５】
前記基板カバー６５は、図８に示すように、前記基板６３に対して外形が略整合するよう設けられており、基板６３のコネクタ接続部ＣＮ１を露出するためのコネクタ挿通口６５ａが形成されている。なお、基板６３には、前記第２入賞路形成部材５５ｂに設けられた前記検出用窓口７４ａの後方位置に、前後に貫通する基板開口６３ｂが設けられており、該基板開口６３ｂをコネクタ接続部ＣＮ１と共に後方へ露出させ得る大きさにコネクタ挿通口６５ａが形成されている。ここで、基板６３の前側には後述する開閉検出センサＳＥ３が配設され、該開閉検出センサＳＥ３のコネクタ接続部ＣＮ２が、基板開口６３ｂを通じて後方へ露出するように構成されている。そして、基板カバー６５のコネクタ挿通口６５ａの内側で、各コネクタ接続部ＣＮ１,ＣＮ２が並ぶようになっている。
【００５６】
図８に示すように、前記始動本体部５５の後面には、基板６３および基板カバー６５を取り付けるための構成として、カバー固定ボス７７と、第１位置決めピン７８と、第２位置決めピン７４ｂとが設けられている。具体的に、前記第３入賞路形成部材５５ｃの後面には、基板６３および基板カバー６５を固定するためのカバー固定ボス７７が、後方へ突出する円筒状に設けられている。また、第３入賞路形成部材５５ｃの後面におけるカバー固定ボス７７から離間する位置には、基板６３を位置決めするための第１位置決めピン７８が、後方へ突出する円柱状に設けられている。更に、前記第２入賞路形成部材５５ｂにおける第４凹部７４の後面には、基板６３および基板カバー６５を位置決めするための第２位置決めピン７４ｂが、後方へ突出する円柱状に設けられている。ここで、カバー固定ボス７７、第１位置決めピン７８および第２位置決めピン７４ｂは、突出端部が小径に形成されており、基板６３を前後に貫通する基板通孔６３ｃに当該小径部分が嵌合して、基板６３を位置決めし得るようになっている。また、第２位置決めピン７４ｂは、突出端部に設けられる小径部分の後方への突出寸法が第１位置決めピン７８の小径部分よりも大きく、基板６３の基板通孔６３ｃを通じて後方へ突出することで、基板カバー６５に設けられた位置決め凹部６５ｂ(図７参照)に嵌合して該基板カバー６５を基板６３の後面に位置決めし得るようになっている。そして、基板カバー６５に設けられたボス受部６５ｃに固定ネジを後側から挿入して基板通孔６３ｃを通じてカバー固定ボス７７に螺挿することで、基板６３および基板カバー６５が取り付けられる。
【００５７】
なお、前記始動本体部５５の後面(具体的には、前記第２入賞路形成部材５５ｂにおける前記第４凹部７４の後面)には、後述するセンサ保持体６７を取り付けるための保持体固定ボス７４ｃが、前記検出用窓口７４ａを挟む上下両側から後方へ突出するよう夫々設けられている(図８参照)。このセンサ保持体６７の始動本体部５５に対する取付構造については後述する。
【００５８】
(開閉検出センサＳＥ３について)
図７、図８および図９に示すように、前記始動入賞ユニット５０は、前記開閉部材６０の開閉位置を検出する開閉検出センサ(位置検出手段)ＳＥ３を備えている。実施例の開閉検出センサＳＥ３は、発光部ＳＥ３ａおよび受光部ＳＥ３ｂを有する所謂フォトセンサであり、前記始動本体部５５の内部に配設された前記連係部材６２の揺動位置を検出することで、開閉部材６０が閉鎖位置にある状態、および閉鎖位置にない状態(閉鎖位置から開放位置側に変位した位置にある状態)を検出し得るようになっている。なお、開閉検出センサＳＥ３により直接的に開閉部材の位置を検出するようにしてもよい。
【００５９】
具体的に、開閉検出センサＳＥ３は、連係本体部６２ａが揺動下端に位置する状態(すなわち、始動入賞ソレノイドＳＬ１の消磁状態)で、前記検出用窓口７４ａの上端側に位置する被検出片６２ｄが発光部ＳＥ３ａおよび受光部ＳＥ３ｂの間に位置するように配設されている。ここで、開閉検出センサＳＥ３は、前記主制御基板３３と電気的に接続されており、発光部ＳＥ３ａおよび受光部ＳＥ３ｂの間で光が被検出片６２ｄにより遮られる状態では、開閉部材６０が閉鎖位置にあることに対応する検出信号(オフ信号)を主制御基板３３(具体的には、主制御ＣＰＵ３３ａ)へ向けて出力すると共に、被検出片６２ｄにより光が遮られていない状態では、開閉部材６０が閉鎖位置よりも開放位置側に変位していることに対応する検出信号(オン信号)を主制御基板３３(主制御ＣＰＵ３３ａ)へ向けて出力する。これにより、主制御基板３３(主制御ＣＰＵ３３ａ)では、開閉検出センサＳＥ３からのオフ信号を入力する場合に、開閉部材６０が閉鎖位置にあると判定すると共に、オン信号を入力する場合に、開閉部材６０が閉鎖位置から開放位置側へ変位した状態にあると判定するよう構成されている。なお、開閉検出センサＳＥ３は、被検出片６２ｄにより光が遮られる場合(開閉部材６０が閉鎖位置にある場合)にオン信号を出力し、光が被検出片６２ｄにより遮られていない場合(開閉部材６０が閉鎖位置にない場合)にオフ信号を出力するように構成してもよい。
【００６０】
前記開閉検出センサＳＥ３は、発光部ＳＥ３ａおよび受光部ＳＥ３ｂが左右に並んで前方へ向けて突出するよう設けられており(図７参照)、後面には、図示しない配線部材のコネクタと接続するコネクタ接続部ＣＮ２が後方へ突出するよう設けられている(図８参照)。また、開閉検出センサＳＥ３の左端部には、上下に夫々延出する延出部ＳＥ３ｃが設けられており、上下の延出部ＳＥ３ｃの夫々に、左右に貫通する孔部が形成されている。なお、下側の延出部ＳＥ３ｃに設けられた孔部は、後述するセンサ保持体６７に設けられたセンサ固定部６７ｃ(後述)とネジ固定するためのネジ挿通孔(固定孔)として用いられており、上側の延出部ＳＥ３ｃに設けられた孔部は、センサ保持体６７に設けられたセンサ位置決め部６７ｂ(後述)と位置決めするための位置決め孔として用いられている。
【００６１】
(センサ保持体６７について)
図７および図８に示すように、前記始動入賞ユニット５０は、前記開閉検出センサＳＥ３を保持するセンサ保持体６７を備えている。センサ保持体６７には、開閉検出センサＳＥ３を内側に収容する収容部６７ａが設けられている。収容部６７ａは、左方へ向けて開口するよう形成されており、左方から開閉検出センサＳＥ３を挿入し得るようになっている。また収容部６７ａは、前方および後方へ向けても開口しており、収容部６７ａに位置する開閉検出センサＳＥ３の発光部ＳＥ３ａおよび受光部ＳＥ３ｂを前方に突出させ得ると共に、開閉検出センサＳＥ３の後面に設けたコネクタ接続部ＣＮ２を後方へ突出させ得るようになっている。
【００６２】
ここで、前記センサ保持体６７の左端部には、前記開閉検出センサＳＥ３の上側の延出部ＳＥ３ｃを位置決めするためのセンサ位置決め部６７ｂが、収容部６７ａの上側から左方へ向けて突出するよう設けられている(図８参照)。また、センサ保持体６７の左端部には、開閉検出センサＳＥ３の下側の延出部ＳＥ３ｃを位置決めおよびネジ固定するためのセンサ固定部６７ｃが、収容部６７ａの下側から左方へ向けて突出するよう設けられている(図８参照)。すなわち、収容部６７ａに対して左方から開閉検出センサＳＥ３を挿入する場合に、当該開閉検出センサＳＥ３の上側の延出部ＳＥ３ｃに設けられた孔部にセンサ位置決め部６７ｂを挿入すると共に、開閉検出センサＳＥ３の下側の延出部ＳＥ３ｃをセンサ固定部６７ｃに係合させることで、センサ保持体６７に対する開閉検出センサＳＥ３の位置決めがなされる。そして、開閉検出センサＳＥ３の下側の延出部ＳＥ３ｃに設けられた孔部に対して左方から挿通した固定ネジを、センサ保持体６７のセンサ固定部６７ｃに螺挿することで、センサ保持体６７に対して開閉検出センサＳＥ３を固定し得るように構成されている。
【００６３】
また、前記センサ保持体６７には、前記始動本体部５５の後面(第２入賞路形成部材５５ｂの後面)に設けられた前記保持体固定ボス７４ｃ(図８参照)とネジ固定するためのボス受部６７ｄが、前記収容部６７ａを挟む上下両側に設けられている。ボス受部６７ｄは、前側が開口した中空円筒状に形成されている。そして、センサ保持体６７は、始動本体部５５の後面から後方へ突出するよう設けられた保持体固定ボス７４ｃを前方からボス受部６７ｄに挿入すると共に、後方から固定ネジを挿通して保持体固定ボス７４ｃに螺挿することで、始動本体部５５の後面側に取り付けられるようになっている。すなわち、前記開閉検出センサＳＥ３は、始動本体部５５の外面に設けられることで、前記始動本体部５５を分解することなく着脱し得るように設けられており、容易に点検等を行い得るようになっている。また、センサ保持体６７の収容部６７ａに囲われた状態で始動本体部５５に取り付けられることで、開閉検出センサＳＥ３を着脱する際に破損等が生じるのを防ぐことができる。
【００６４】
ところで、前記始動本体部５５の後面には、図８に示すように、前記カバー固定ボス７７、前記第１位置決めピン７８および前記第２位置決めピン７４ｂが、前記センサ保持体６７および前記開閉検出センサＳＥ３の設置領域よりも外周側から後方へ突出して、突出端部が前記保持体固定ボス７４ｃの突出端部よりも後方に位置するように設けられている。すなわち、始動入賞ユニット５０は、センサ保持体６７および開閉検出センサＳＥ３の後側に重ねて基板６３および基板カバー６５を配置し得るように構成されている。そして、開閉検出センサＳＥ３のコネクタ接続部ＣＮ２は、基板６３に設けられた前記基板開口６３ｂおよび基板カバー６５に設けられた前記コネクタ挿通口６５ａを通じて後方へ露出される。これにより、開閉検出センサＳＥ３およびセンサ保持体６７の後側に重なるように基板６３および基板カバー６５を配置しつつ、開閉検出センサＳＥ３のコネクタ接続部ＣＮ２に対する配線部材の接続を容易に行うことができるようになっている。ここで、実施例の始動入賞ユニット５０は、センサ保持体６７を始動本体部５５から取り外した状態とした場合に、前記検出用窓口７４ａの内側に位置する前記被検出片６２ｄが基板開口６３ｂおよびコネクタ挿通口６５ａを通じて当該始動入賞ユニット５０の後側に露出するように構成されている。すなわち、基板６３および基板カバー６５が始動本体部５５に取り付けられた状態で、コネクタ挿通口６５ａおよび基板開口６３ｂに操作具等を挿入して被検出片６２ｄを動かすことで前記開閉部材６０の動作チェック等を容易に行うことができるようになっている。
【００６５】
(複合入賞ユニット９０について)
前記複合入賞ユニット９０は、図２に示すように、前記枠状装飾部材２８の左下方位置(始動入賞ユニット５０の左方位置)に、前記第１の流下領域２２ａを流下するパチンコ球が入球可能な特別入賞口９１ａ、普通入賞口９２ａ,９２ｂおよび第２アウト口９４ａが設けられている。複合入賞ユニット９０には、上方に開口する特別入賞口９１ａを開閉するシャッタ９１ｂが設けられており、該シャッタ９１ｂは、駆動手段としての特別入賞ソレノイドＳＬ２の駆動に伴って、特別入賞口９１ａを閉鎖する閉鎖位置と開放する開放位置とに変位するようになっている。また、複合入賞ユニット９０には、普通入賞口９２ａ,９２ｂが上方へ向けて常に開口するよう形成された普通入賞部９２が設けられている。すなわち、複合入賞ユニット９０には、パチンコ球の入賞し易さ(入球の可否)を変化させることが可能な特別入賞口９１ａを有する特別入賞部(入球部)７１と、パチンコ球が常に入賞可能な普通入賞口９２ａ,９２ｂを有する普通入賞部(入球部)９２とが設けられている。また、前記複合入賞ユニット９０には、特別入賞口９１ａに入球したパチンコ球を検出(入賞検出)する検出手段としての特別入賞検出センサＳＥ４(図１２参照)が配設されている。特別入賞検出センサＳＥ４は、前記遊技盤２０の後面側に配設された前記主制御基板に配線接続されており、該特別入賞検出センサＳＥ４から主制御基板(具体的には、主制御ＣＰＵ３３ａ)への球検出信号の入力(すなわちパチンコ球の検出)に伴って、主制御基板(具体的には、主制御ＣＰＵ３３ａ)が規定数の賞球の払い出しを決定するようになっている。なお、前記遊技盤２０の後面側には、普通入賞口９２ａ,９２ｂに入球したパチンコ球を検出(入賞検出)する検出手段としての普通入賞検出センサ(図示せず)が配設されている。この普通入賞検出センサもまた前記主制御基板に配線接続されており、該普通入賞検出センサから主制御基板(具体的には、主制御ＣＰＵ３３ａ)への球検出信号の入力(すなわちパチンコ球の検出)に伴って、主制御基板(具体的には、主制御ＣＰＵ３３ａ)が規定数の賞球の払い出しを決定するようになっている。
【００６６】
前記複合入賞ユニット９０は、図２に示すように、前記遊技盤２０の前面に取着される複合台板９３と、複合台板９３の前面に配設されて特別入賞口９１ａを有するサイド飾り構成体９４と、複合台板９３の後面に配設されて内部に前記特別入賞ソレノイドＳＬ２や前記特別入賞検出センサＳＥ４が収容された複合本体部(図示せず)とを備えている。また、複合台板９３には、複数の普通入賞口９２ａ,９２ｂを有する普通入賞部９２が遊技盤２０の前面より前方に突出するよう設けられている。複合台板９３は、平板状に形成されると共に、固定ネジを前後に挿通可能な固定孔Ｎａが外周縁部の複数箇所に開設されている。そして、複合台板９３の固定孔Ｎａに前側から挿通させた固定ネジを遊技盤２０の前面に螺挿して固定することで、複合入賞ユニット９０が遊技領域２２の左下部において前記案内レール２３に近接するように遊技盤２０の前面に配設される。
【００６７】
(パチンコ機の制御構成について)
ここで、パチンコ機１０に備えられた主制御基板３３の制御に関する構成について説明する。
【００６８】
図１２に示に示すように、主制御基板３３は、制御処理を実行する主制御ＣＰＵ３３ａ、該主制御ＣＰＵ３３ａが実行する制御プログラムを記憶する主制御ＲＯＭ３３ｂ、当該主制御ＣＰＵ３３ａの処理に必要なデータの書込み・読出しが可能な主制御ＲＡＭ３３ｃ等が備えられている。そして、主制御ＣＰＵ３３ａには、ゲートセンサ２７ｂ、前記始動入賞検出センサＳＥ１,ＳＥ２、特別入賞検出センサＳＥ４等の各種入賞検出センサが電気的に接続されている。また、主制御ＣＰＵ３３ａには、遊技情報表示部Ｍの各表示部(例えば、特図を表示する表示部や、普図を表示する表示部等)が電気的に接続されて、各検出センサ２７ｂ,ＳＥ１,ＳＥ２の検出を契機として主制御ＣＰＵ３３ａで実行された制御処理に基づいて、遊技情報表示部Ｍの表示制御が実行されるようになっている。また、主制御ＣＰＵ３３ａには、始動入賞ソレノイドＳＬ１および特別入賞ソレノイドＳＬ２が電気的に接続されており、該主制御ＣＰＵ３３ａでの制御処理結果に基づいて各ソレノイドＳＬ１,ＳＬ２を駆動させることで開閉部材６０やシャッタ９１ｂが開閉するようになっている。
【００６９】
主制御ＣＰＵ３３ａは、ゲート部材２７のゲート口２７ａをパチンコ球が通過したこと(より具体的にはゲートセンサ２７ｂがパチンコ球を検出したこと)を契機として通過検出情報としての各種乱数を取得するよう設定されている。ここで、主制御ＣＰＵ３３ａがゲートセンサ２７ｂの検出を契機に取得する乱数としては、普図当り判定用乱数、普図変動パターン決定用乱数等の各種乱数が設定されている。そして、主制御ＣＰＵ３３ａがこれらの乱数値を所定の周期(実施例１では４ｍｓ)で更新し、更新後の乱数値を主制御ＲＡＭ３３ｃに一時的に記憶して更新前の値を書き換えることにより、ゲートセンサ２７ｂの検出信号が主制御ＣＰＵ３３ａに入力されたタイミングに応じて乱数が取得されるようになっている。また、主制御ＣＰＵ３３ａは、時間を計測するタイマ更新処理を実行する。主制御ＲＡＭ３３ｃには、パチンコ機１０の動作中に適宜書き換えられる各種情報(乱数値、タイマ値、フラグなど)が記憶(設定)されるようになっている。
【００７０】
また、前記ゲートセンサ２７ｂをパチンコ球が通過した際に取得される通過検出情報(各種乱数値)は、普図始動保留情報として主制御ＲＡＭ３３ｃの所定の普図記憶領域(記憶領域)に一時的に記憶保持されるよう構成されている。普図始動保留情報は、主制御ＲＡＭ３３ｃに記憶する順序で記憶する普図記憶領域が定まっており、普図始動保留情報に基づいて普図変動表示を実行する場合に、主制御ＲＡＭ３３ｃに記憶した順序で普図始動保留情報が主制御ＣＰＵ３３ａにより読み出されるようになっている。
【００７１】
普図当り判定用乱数は、普図変動の結果として第２始動入賞口５２ａの開放(普図当り)を発生させるか否かの普図当り判定(普図当り抽選)で用いられる乱数である。実施例では、普図当り判定用乱数として、「０」〜「６５５３５」の全６５５３６通りの整数値が設定されており、所定の周期(４ｍｓ)で１ずつ更新されるようになっている。前記普図変動パターン振分用乱数は、普図変動表示における普図変動の変動時間を定めた普図変動パターンの決定に用いる乱数である。実施例では、普図変動パターン振分用乱数として、「０」〜「８」の全９通りの整数値が設定されており、所定の周期(４ｍｓ)で１ずつ更新されるようになっている。そして、ゲート口２７ａをパチンコ球が通過したこと(ゲートセンサ２７ｂがパチンコ球を検出したこと)を契機として、主制御ＲＡＭ３３ｃに一時的に記憶されている通過検出情報(普図当り判定用乱数および普図変動パターン振分用乱数等)を同じタイミングで主制御ＣＰＵ３３ａが取得するようになっている。
【００７２】
また、主制御ＲＯＭ３３ｂには、普図変動演出の結果、普図当りを発生させることを示す普図当り判定値が記憶されている。普図当り判定値は、前記普図当り判定用乱数を用いて普図当りか否かの判定(普図当り判定)で用いる判定値であり、普図当り判定用乱数の取り得る「０」〜「６５５３５」までの全６５５３６通りの整数の中から所定数の判定値が定められている。ここで、普図当り判定値は、普図当り判定を行う時点で前述した変短状態が付与されているか否かで判定値の設定数が異なっている。具体的には、変短状態の場合に設定される普図当り判定値の数(実施例１では６５５３５個)は、非変短状態の場合に設定される普図当り判定値の数(実施例１では１個)よりも多く設定されている。すなわち、変短状態における普図当り判定値の設定数を多くすることで、普図当りが発生し易くなっている。
【００７３】
(普図当り遊技の付与に関する構成について)
主制御基板３３(主制御ＣＰＵ３３ａ)は、前記ゲートセンサ２７ｂによるパチンコ球の検出を契機として普図当り判定を実行すると共に、該普図当り判定の判定結果が当りとなった場合に、当り図柄(普図)を前記遊技情報表示部Ｍに停止表示して、当該当り図柄の停止表示後に、パチンコ球を第２始動入賞口５２ａに入賞させることが可能な普図当り遊技を生起させるよう構成されている。ここで、主制御ＣＰＵ３３ａは、普図当り遊技を付与する場合に、前記始動入賞ソレノイドＳＬ１を駆動する(励磁状態とする)ことで前記開閉部材６０を閉鎖位置から開放位置へ変位させる開放制御を実行するよう構成されている(図１０参照)。すなわち、主制御ＣＰＵ３３ａは、開放制御を行う開放制御手段として機能している。具体的に、主制御ＣＰＵ３３ａは、非変短状態において普図当り遊技を付与する場合に、当該普図当り遊技の開始条件が成立するタイミングで始動入賞ソレノイドＳＬ１を励磁状態とした後に、０．５秒間が経過するか、または所定個数(実施例では３個)のパチンコ球を第２始動入賞検出センサＳＥ２が検出することを普図当り遊技の終了条件として始動入賞ソレノイドＳＬ１を消磁状態に戻す一連の開放制御を実行するよう設定されている。また、主制御ＣＰＵ３３ａは、変短状態において普図当り遊技を付与する場合に、当該普図当り遊技の開始条件が成立するタイミングで始動入賞ソレノイドＳＬ１を励磁状態とした後に、３．０秒間が経過するか、または所定個数(実施例では３個)のパチンコ球を第２始動入賞検出センサＳＥ２が検出することを普図当り遊技の終了条件として始動入賞ソレノイドＳＬ１を消磁状態に戻す一連の開放制御を実行するよう設定されている。なお、１回の普図当り遊技において主制御ＣＰＵ３３ａが複数回の開放制御を実行するようにしてもよい。また、普図当り判定の判定結果が当りとなる確率が非変短状態において０％となるよう設定してもよい。
【００７４】
主制御ＣＰＵ３３ａは、入賞有効期間であるかを示す有効フラグの設定値として「１」および「０」の何れかを、該主制御基板３３に備えられる記憶手段(主制御ＲＡＭ３３ｃ)に記憶させるようになっている。そして、主制御ＣＰＵ３３ａは、有効フラグの設定値が「１」である場合(入賞有効期間)に発生した第２始動入賞検出センサＳＥ２の入賞検出を有効な入賞検出と判定する一方、有効フラグの設定値が「０」である場合に発生した第２始動入賞検出センサＳＥ２の入賞検出を無効な入賞検出(不正入賞したパチンコ球の入賞検出)と判定するようになっている。すなわち、主制御ＣＰＵ３３ａは、普図当り遊技を付与する場合に、第２始動入賞検出センサＳＥ２の検出の有効期間(入賞有効期間)を設定する有効期間設定手段として機能している。ここで、主制御ＣＰＵ３３ａは、図１０(ｂ)に示すように、開放制御を開始するタイミングで有効フラグの設定値を「０」から「１」へと変更することで、普図当り遊技の開始を契機として入賞有効期間を開始させる。また、主制御ＣＰＵ３３ａは、開放制御の終了時点から所定時間(実施例では２．０秒)が経過するタイミングで有効フラグの設定値を「１」から「０」へと変更することで、普図当り遊技の終了から所定の延長期間を経過後に入賞有効期間を終了させるようになっている。なお、入賞有効期間の延長期間は、第２始動入賞口５２ａに入球したパチンコ球が第２始動入賞検出センサＳＥ２による検出位置に到達するまでにかかる時間を考慮して設定されており、実施例では、有効な入賞検出を無効と判定する誤判定を可能な限り低減させるため、延長期間として比較的長い２．０秒が設定されている。
【００７５】
このように、主制御ＣＰＵ３３ａは、入賞有効期間を開放制御期間(普図当り遊技の付与期間)に対応して設定するようになっている。そして、入賞有効期間以外の期間(無効期間)において第２始動入賞検出センサＳＥ２の入賞検出を無効な入賞検出と判定して、不正行為(不正入賞)による可能性が高い入賞検出が発生した状態(不正入賞エラー)を識別し得るよう構成されている。すなわち、主制御ＣＰＵ３３ａは、入賞有効期間以外の無効期間(有効フラグが「０」に設定されている期間)に発生した第２始動入賞検出センサＳＥ２の入賞検出を無効な入賞検出(不正入賞の発生)と判定する不正入賞判定手段として機能している。そして、主制御ＣＰＵ３３ａは、無効期間において第２始動入賞検出センサＳＥ２の入賞検出が発生した場合に、不正入賞エラーの発生を示す制御信号を前記外部情報出力端子盤(出力手段、外部出力手段)３７に出力することで、当該外部情報出力端子盤３７に備えられる特定の情報出力端子(エラー情報出力端子)から外部(ホールコンピュータ)へ向けて第１エラー信号を出力させる。なお、実施例では、外部情報出力端子盤３７が特定の情報出力端子(エラー情報出力端子)から出力する第１エラー信号として、当該パチンコ機１０の通電状態が停止されるまで継続的にオン信号を出力する態様が設定されている。また、主制御ＣＰＵ３３ａは、不正入賞エラーの発生を示す制御信号を前記演出制御基板３４に出力することで、該演出制御基板３４の制御に基づいて図柄表示装置１７(出力手段、表示情報出力手段)の表示内容(エラー表示)を制御し、また枠ランプ１３ｃ(出力手段、光出力手段)および始動入賞ユニット５０の遊技盤ランプ６３ａ(出力手段、光出力手段)の発光態様を制御すると共に、該演出制御基板３４の制御に基づいてスピーカ１３ｄ(出力手段、音出力手段)の音声出力態様を制御することで、不正入賞エラーの発生を報知するようになっている。
【００７６】
具体的には、図１１に示すように、主制御ＣＰＵ３３ａから演出制御基板３４へ向けて不正入賞エラーを示す制御信号が出力されると、図柄表示装置１７(表示情報出力手段)では、図柄変動演出等の通常の表示内容の表示を中止して、画面全体を使ってエラー表示を行う。該エラー表示では、「エラーLv.3」という文字情報を表示する。なお、「Lv.3」の表示は、エラーの重要度(エラーレベル)であり、数値が大きいほど緊急的に対処する必要があることを示している。また、枠ランプ１３ｃおよび遊技盤ランプ６３ａ(光出力手段)では、図柄変動演出等に合わせた通常の光出力を中止して、図柄変動演出等では使用しない発光態様(実施例では赤色一色で継続的に点滅させる発光態様)とすることにより、不正入賞エラーの発生を店内に周知させる。また、スピーカ１３ｄ(音出力手段)では、図柄変動演出等に合わせた通常の音声出力を中止して、特有のエラー報知音を音声出力することにより、不正入賞エラーの発生を店内に周知させる。このように、不正入賞エラーが発生した場合には、当該エラーに対して直ちに対処する必要があることを報知するようになっている。
【００７７】
なお、詳しくは後述するが、実施例のパチンコ機１０は、不正入賞エラーが発生する前に、開閉部材６０が不正に開放されている可能性のある異常開放エラー(後述)を報知するように構成されている。そして、不正入賞エラーが発生した場合のエラー報知態様は、異常開放エラーのうち第２の異常開放エラー(後述)が発生した場合のエラー報知態様と基本的に同じ報知態様が設定されている(但し、枠ランプ１３ｃおよび遊技盤ランプ６３ａを点滅状態とする点で異なる)。
【００７８】
(開閉部材６０に関する制御構成について)
主制御ＣＰＵ３３ａは、当該主制御ＣＰＵ３３ａが開放制御の実行中であるかを示す開放制御フラグの設定値として「１」および「０」の何れかを、該主制御基板３３に備えられる記憶手段(主制御ＲＡＭ３３ｃ)に記憶させるようになっている。そして、主制御ＣＰＵ３３ａは、開放制御フラグの設定値が「１」である場合に、開放制御が行われていることを判定する一方、開放制御フラグの設定値が「０」である場合に、開放制御が行われていないことを判定するようになっている。すなわち、主制御ＣＰＵ３３ａは、当該主制御ＣＰＵ３３ａの制御状態が開閉部材６０の開放制御を行っている状態であるか否かを判定する第１判定手段として機能している。また、主制御ＣＰＵ３３ａは、開閉検出センサＳＥ３からオフ信号(発光部ＳＥ３ａおよび受光部ＳＥ３ｂの間で被検出片６２ｄにより光が遮られる状態を示す検出信号)を入力する場合に、開閉部材６０が閉鎖位置にあることを判定すると共に、開閉検出センサＳＥ３からオン信号(発光部ＳＥ３ａおよび受光部ＳＥ３ｂの間で被検出片６２ｄにより光が遮られない状態を示す検出信号)を入力する場合に、開閉部材６０が閉鎖位置にないこと(閉鎖位置から開放位置側へ開閉部材６０が変位していること)を判定する第２判定手段として機能している。そして、主制御ＣＰＵ３３ａは、第１判定手段の判定結果(開放制御が行われているか否か)および第２判定手段の判定結果(開閉部材６０が閉鎖位置にあるか否か)に基づいて、開閉部材６０の異常開放状態(異常開放エラー)や、開閉部材６０の開放不良状態(開放不良エラー)を識別し得るように構成されている。なお、開放不良エラーを識別する構成については後述する。
【００７９】
なお、主制御ＣＰＵ３３ａは、前述したように、第２始動入賞検出センサＳＥ２の入賞検出が入賞有効期間以外の期間に発生したものである場合に、当該入賞検出が不正行為(不正入賞)による可能性が高いことを識別し得るように構成されている。しかしながら、第２始動入賞検出センサＳＥ２の入賞検出が発生したタイミングに基づいて不正行為を判定する場合には、第２始動入賞検出センサＳＥ２の入賞検出が実際に発生しなければ不正行為を判定することができず、不正行為への対処が遅れる問題を内在している。そこで、実施例では、以下に説明するように、不正行為が行われた可能性のある状態として、開閉部材６０の異常開放状態を識別し得るよう構成してある。すなわち、普図当り遊技が付与されていないにも関わらず開閉部材６０が開放している状態(すなわち、第１判定手段が開放制御が行われていないことを判定し、かつ開閉部材６０が閉鎖位置にないことを第２判定手段が判定した場合)を、開閉部材６０の異常開放状態として識別することで、不正行為に対して早期に(第２始動入賞口５２ａへの不正入賞が発生する前に)対処することができるようになっている。ここで、主制御ＣＰＵ３３ａは、開閉部材６０の異常開放状態として、不正行為によって発生した可能性のある第１の異常開放エラーの発生状態と、該第１の異常開放エラーよりも不正行為による可能性が高い第２の異常開放エラーの発生状態とを判定し得るよう構成されている。
【００８０】
ここで、主制御ＣＰＵ３３ａは、異常開放エラー(第１の異常開放エラーおよび第２の異常開放エラーのうち何れか)の発生を判定した場合に、第２始動入賞口５２ａへのパチンコ球の入賞を契機とした賞球の払い出しを行わないよう指示する制御信号を前記払出制御基板(払出制御手段)３６へ向けて出力するように構成されている。実施例では、主制御ＣＰＵ３３ａが異常開放エラーを判定した時点以降においてパチンコ機１０の通電状態が停止されるまでの期間に、第２始動入賞口５２ａへのパチンコ球の入賞を契機とした賞球の払い出しが行われないよう、払出制御基板３６が球払出装置１９を制御するようになっている。すなわち、不正入賞の発生を条件とすることなく、第２始動入賞口５２ａへのパチンコ球の入賞を契機とした賞球の払い出しを禁止することで、不正入賞に応じた賞球の払い出しが行われることを事前に防止できるようになっている。なお、実施例では、第２始動入賞口５２ａ以外の入賞口へのパチンコ球の入賞を契機とした賞球の払い出しを禁止しないよう構成されているが、全ての入賞口へのパチンコ球の入賞を契機とした賞球の払い出しを禁止するようにしてもよい。
【００８１】
(第１の異常開放エラーについて)
主制御ＣＰＵ３３ａは、開放制御が終了したにも関わらず開閉部材６０が閉鎖位置に変位しない状態を、不正行為によって引き起こされた可能性のある第１の異常開放エラーと判定するよう構成されている。ここで、実施例では、主制御ＣＰＵ３３ａの開放制御が開始して始動入賞ソレノイドＳＬ１が消磁状態から励磁状態へと変化した後０．３秒以内に開閉部材６０が閉鎖位置から開放位置まで変位し得ると共に、主制御ＣＰＵ３３ａの開放制御が終了して始動入賞ソレノイドＳＬ１が励磁状態から消磁状態へと変化した後０．３秒以内に開閉部材６０が開放位置から閉鎖位置に変位し得るよう構成されている。これに対し、主制御ＣＰＵ３３ａは、図１０(ｅ)に示すように、開放制御の終了時点(すなわち、開放制御フラグが「１」から「０」へと変更されるタイミング)で、第１の異常開放エラーを判定するための判定期間Ｔ１の計時を開始すると共に、入力されている開閉検出センサＳＥ３からの検出信号がオン信号からオフ信号へと変化した時点(すなわち、開閉部材６０が開放位置側から閉鎖位置に変位した時点)または計時開始から０．５秒が経過した時点で、当該判定期間Ｔ１の計時を終了する。主制御ＣＰＵ３３ａは、このように計時された時間が０．５秒となった場合に、第１の異常開放エラーと判定するようになっている。すなわち、普図当り遊技に伴って開放された開閉部材６０を不正行為者が不正具等で強制的に開放維持して不正入賞を発生させるといった不正行為が行われる可能性があるのに対し、実施例のパチンコ機１０は、入賞有効期間が終了して実際に不正入賞が発生し得る状態となる前に、不正行為の発生を識別することができるようになっている。
【００８２】
そして、主制御ＣＰＵ３３ａは、第１の異常開放エラーを判定するための判定期間Ｔ１が０．５秒となった場合(すなわち、開放制御の終了から０．５秒を経過しても開閉部材６０が閉鎖位置に変位しなかった場合)に、第１の異常開放エラーの発生を示す制御信号を前記外部情報出力端子盤(出力手段、外部出力手段)３７に出力することで、当該外部情報出力端子盤３７に備えられる特定の情報出力端子(エラー情報出力端子)から外部(ホールコンピュータ)へ向けて第２エラー信号を出力させる。実施例では、外部情報出力端子盤３７が特定の情報出力端子(エラー情報出力端子)から出力する第２エラー信号として、３．０秒間に亘って継続するオン信号を連続的に(１．０秒間のオフ信号を挟んで繰り返すように)当該パチンコ機１０の通電状態が停止されるまで出力する態様が設定されている。なお、外部情報出力端子盤３７において第２エラー信号を出力する情報出力端子は、前述した第１エラー信号を出力する情報出力端子と共通とされ、第１エラー信号の出力条件および第２エラー信号の出力条件の両方が成立した場合は第１エラー信号(不正入賞エラーの情報出力信号)を優先して出力するようになっている。
【００８３】
また、主制御ＣＰＵ３３ａは、第１の異常開放エラーの発生を示す制御信号を前記演出制御基板３４に出力することで、該演出制御基板３４の制御に基づいて図柄表示装置１７の表示内容(エラー表示)を表示制御し、また枠ランプ１３ｃ(出力手段、光出力手段)および始動入賞ユニット５０の遊技盤ランプ６３ａ(出力手段、光出力手段)を発光制御すると共に、該演出制御基板３４の制御に基づいてスピーカ１３ｄ(出力手段、音出力手段)を音声制御することで、第１の異常開放エラーの発生を報知するようになっている。ここで、第１の異常開放エラーは、開放制御が終了しても開閉部材６０が閉鎖位置に復帰しない状態であり、当該第１の異常開放エラーが不正行為により引き起こされた可能性がある一方で、第２始動入賞口５２ａの開口縁と開閉部材６０との間にパチンコ球が挟み込まれる所謂「球詰まり」により生じた可能性もある。従って、実施例では、店内に不正行為の発生を周知させるような報知は行わない。但し、ホールコンピュータへ向けては、不正行為の可能性がある第１の異常開放エラーを示す情報を他のエラー状態とは区別して(第２エラー信号として)出力する。また、遊技者へ向けて、開閉部材６０の状態に異常が生じた可能性があることを報知するようになっている。具体的には、図１１に示すように、主制御ＣＰＵ３３ａから演出制御基板３４へ向けて第１の異常開放エラーを示す制御信号が出力されると、図柄表示装置１７(表示情報出力手段)では、図柄変動演出等の表示を行う通常の表示内容に加えて「エラーLv2：始動入賞口が開いています」という文字情報を表示する。また、枠ランプ１３ｃ(光出力手段)および遊技盤ランプ６３ａ(光出力手段)では、図柄変動演出等に合わせた通常の光出力を継続しつつ発光強度を低下させ、遊技店の店員が第１の異常開放エラーの発生を認識し得るようにする。スピーカ１３ｄ(音出力手段)では、図柄変動演出等に合わせた通常の音声出力を継続しつつ音声ボリュームを低減させて、遊技店の店員が第１の異常開放エラーの発生を認識し得るようにする。
【００８４】
(第２の異常開放エラーに関する制御について)
主制御ＣＰＵ３３ａは、開放制御が行われていないにも関わらず開閉部材６０が閉鎖位置から開放位置へ向けて変位した状態を、第１の異常開放エラーよりも不正行為によって引き起こされた可能性が高い第２の異常開放エラーと判定するよう構成されている。ここで、実施例の主制御ＣＰＵ３３ａは、第２の異常判定エラーを判定するための検出フラグの設定値として「１」および「０」の何れかを、該主制御基板３３に備えられる記憶手段(主制御ＲＡＭ３３ｃ)に記憶させるようになっている。具体的に、主制御ＣＰＵ３３ａは、図１０(ｆ)に示すように、当該主制御ＣＰＵ３３ａによる開放制御が行われた場合(すなわち、開放制御フラグの設定値を「０」から「１」に変更した場合)に、検出フラグの設定値を「０」に設定すると共に、開放制御の終了後に開閉部材６０が閉鎖位置へと変位した場合(すなわち、開放制御フラグの設定値が「０」の状態で、開閉検出センサＳＥ３からのオン信号を入力した場合)に、検出フラグの設定値を「０」から「１」へと変更するようになっている。そして、図１０(ｇ)に示すように、開放制御フラグの設定値が「１」の状態では、開閉検出センサＳＥ３からのオフ信号を入力した時点で、第２の異常開放エラーを判定するための判定期間Ｔ２の計時を開始すると共に、入力されている開閉検出センサＳＥ３からの検出信号がオン信号からオフ信号へと変化した時点(すなわち、開閉部材６０が開放位置側から閉鎖位置に変位した時点)または計時開始から０．５秒が経過した時点で、当該判定期間Ｔ２の計時を終了する。主制御ＣＰＵ３３ａは、このように計時された時間が０．５秒となった場合に、第２の異常開放エラーと判定するようになっている。すなわち、実施例のパチンコ機１０は、普図当り遊技が付与されていない状態で開閉部材６０を不正に開放して第２始動入賞口５２ａへ不正入賞させようとする不正行為を、該不正入賞が発生したかに関わらず早期に識別することができるようになっている。
【００８５】
そして、主制御ＣＰＵ３３ａは、第２の異常開放エラーを判定するための判定期間Ｔ２が０．５秒となった場合(すなわち、開放制御が行われていない状態で開閉部材６０が閉鎖位置から開放位置側へ変位し、０．５秒を経過しても閉鎖位置へ戻らなかった場合)に、第２の異常開放エラーの発生を示す制御信号を前記外部情報出力端子盤(出力手段、外部出力手段)３７に出力することで、当該外部情報出力端子盤３７に備えられる特定の情報出力端子(エラー情報出力端子)から外部(ホールコンピュータ)へ向けて第３エラー信号を出力させる。実施例では、外部情報出力端子盤３７が特定の情報出力端子(エラー情報出力端子)から出力する第３エラー信号として、１．０秒間に亘って継続するオン信号を連続的に(１．０秒間のオフ信号を挟んで)当該パチンコ機１０の通電状態が停止されるまで出力する態様が設定されている。なお、外部情報出力端子盤３７において第３エラー信号を出力する情報出力端子は、前述した第１エラー信号および第２エラー信号を出力する情報出力端子と共通とされ、第１エラー信号の出力条件および第３エラー信号の出力条件が成立した場合は第１エラー信号(不正入賞エラーの情報出力信号)を優先して出力し、第２エラー信号の出力条件および第３エラー信号の出力条件が成立した場合は、第３エラー信号(第２の異常開放エラーの情報出力信号)を優先して出力するようになっている。
【００８６】
また、主制御ＣＰＵ３３ａは、第２の異常開放エラーの発生を示す制御信号を前記演出制御基板３４に出力することで、該演出制御基板３４の制御に基づいて図柄表示装置１７の表示内容(エラー表示)を表示制御し、また枠ランプ１３ｃ(出力手段、光出力手段)および始動入賞ユニット５０の遊技盤ランプ６３ａ(出力手段、光出力手段)を発光制御すると共に、該演出制御基板３４の制御に基づいてスピーカ１３ｄ(出力手段、音出力手段)を音声制御することで、第２の異常開放エラーの発生を報知するようになっている。ここで、第２の異常開放エラーは、開放制御とは無関係に開閉部材６０が開放して閉鎖位置に復帰しない状態であって、第１の異常開放エラーと比較して不正行為により引き起こされた可能性が高い状態といえる。従って、実施例では、不正行為の可能性が高い第２の異常開放エラーを示す情報を他のエラー状態とは区別して(第３エラー信号として)ホールコンピュータへ出力すると共に、店内に向けても不正行為の発生可能性が高いことを周知させるような報知を行うようになっている。具体的には、図１１に示すように、主制御ＣＰＵ３３ａから演出制御基板３４へ向けて第２の異常開放エラーを示す制御信号が出力されると、図柄表示装置１７(表示情報出力手段)では、図柄変動演出等の通常の表示内容の表示を中止して、画面全体を使ってエラー表示を行う。該エラー表示では、「エラーLv.3」という文字情報を表示する。また、枠ランプ１３ｃおよび遊技盤ランプ６３ａ(光出力手段)では、図柄変動演出等に合わせた通常の光出力を中止して、図柄変動演出等では使用しない発光態様(実施例では赤色一色で継続的に点灯させる発光態様)とすることにより、第２の異常開放エラーの発生を店内に周知させる。また、スピーカ１３ｄ(音出力手段)では、図柄変動演出等に合わせた通常の音声出力を中止して、特有のエラー報知音を音声出力することにより、第２の異常開放エラーの発生を店内に周知させる。このように、第２の異常開放エラーが発生した場合には、前述した不正入賞エラーが発生した場合と同様のエラー報知態様とすることで、当該第２の異常開放エラーに対して直ちに対処する必要があることを報知するようになっている。なお、第２の異常開放エラーを報知する報知音として、不正入賞エラーを報知する報知音とは異なる態様を設定してもよい。
【００８７】
(開放不良エラーに関する制御について)
主制御ＣＰＵ３３ａは、開放制御が行われているにも関わらず開閉部材６０が閉鎖位置から開放位置側に変位しない状態を、開閉部材６０に開放不良が生じた可能性のある開放不良エラーと判定するよう構成されている。ここで、実施例では、主制御ＣＰＵ３３ａの開放制御が開始して始動入賞ソレノイドＳＬ１が消磁状態から励磁状態へと変化した後０．３秒以内に開閉部材６０が閉鎖位置から開放位置まで変位し得るよう構成されている。これに対し、主制御ＣＰＵ３３ａは、図１０(ｄ)に示すように、開放制御の開始時点(すなわち、開放制御フラグが「０」から「１」へと変更されるタイミング)で、開放不良エラーを判定するための判定期間Ｔ３の計時を開始すると共に、入力されている開閉検出センサＳＥ３からの検出信号がオフ信号からオン信号へと変化した時点(すなわち、開閉部材６０が閉鎖位置から開放位置側に変位した時点)または計時開始から０．５秒が経過した時点で、当該判定期間Ｔ３の計時を終了する。主制御ＣＰＵ３３ａは、このように計時された時間が０．５秒となった場合に、開放不良エラーと判定するようになっている。すなわち、実施例のパチンコ機１０は、普図当り遊技が開始されたにも関わらず開閉部材６０が閉鎖位置にあることで遊技者にとって不利益となり得る状態を、早期に識別することができるようになっている。
【００８８】
そして、主制御ＣＰＵ３３ａは、開放不良エラーを判定するための判定期間Ｔ３が０．５秒となった場合(すなわち、開放制御の開始から０．５秒を経過しても開閉部材６０が閉鎖位置にある場合)に、開放不良エラーの発生を示す制御信号を前記外部情報出力端子盤(出力手段、外部出力手段)３７に出力することで、当該外部情報出力端子盤３７に備えられる特定の情報出力端子(エラー情報出力端子)から外部(ホールコンピュータ)へ向けて第４エラー信号を出力させる。実施例では、外部情報出力端子盤３７が特定の情報出力端子(エラー情報出力端子)から出力する第４エラー信号として、０．５秒間に亘ってオン信号を出力する態様が設定されている。なお、外部情報出力端子盤３７において第４エラー信号を出力する情報出力端子は、前述した第１〜第３エラー信号を出力する情報出力端子と共通とされ、第４エラー信号の出力条件と第１〜第３エラー信号のうち何れかの出力条件とが成立した場合は、０．５秒間に亘って第４エラー信号(開放不良エラーの情報出力信号)を出力した後に、他のエラー信号を出力する状態に切り替わるようになっている。
【００８９】
また、主制御ＣＰＵ３３ａは、開放不良エラーの発生を示す制御信号を前記演出制御基板３４に出力することで、該演出制御基板３４の制御に基づいて図柄表示装置１７の表示内容(エラー表示)を表示制御し、また枠ランプ１３ｃ(出力手段、光出力手段)および始動入賞ユニット５０の遊技盤ランプ６３ａ(出力手段、光出力手段)を発光制御すると共に、該演出制御基板３４の制御に基づいてスピーカ１３ｄ(出力手段、音出力手段)を音声制御することで、開放不良エラーの発生を報知するようになっている。ここで、開放不良エラーは、開放制御が開始しても開閉部材６０が開放しない状態であり、当該状態のままで遊技者が遊技を継続すると遊技者にとって不利益が生じ得る。そこで、実施例では、主制御ＣＰＵ３３ａから演出制御基板３４へ向けて開放不良エラーを示す制御信号を出力することで、開放不良エラーを遊技者へ向けて報知し得るようになっている。また、開放不良エラーの発生を示す情報を他のエラー状態とは区別して(第４エラー信号として)ホールコンピュータへ向けて出力することで、該ホールコンピュータ側において開放不良エラーが発生した履歴を残すことができるようになっている。具体的には、図１１に示すように、演出制御基板３４が開放不良エラーを示す制御信号を主制御ＣＰＵ３３ａから入力すると、図柄表示装置１７(表示情報出力手段)において、図柄変動演出等の表示を行う通常の表示内容に加えて「エラーLv.1：始動入賞口が開きません」という文字情報を表示させる。すなわち、開放不良エラーが発生した場合には、遊技を継続する場合に不利益が生じ得ることを遊技者に対して報知することで、遊技者の意思に基づいて店員を呼び、開閉部材６０の動作チェックを行わせるようにする。なお、実施例では、枠ランプ１３ｃ(光出力手段)や遊技盤ランプ６３ａ(光出力手段)、スピーカ１３ｄ(音出力手段)では、図柄変動演出等に合わせた通常の出力態様を継続して、開放不良の発生を示す情報を報知しないようになっているが、報知を行うようにしてもよい。
【００９０】
(実施例の作用)
次に、前述のように構成された実施例に係るパチンコ機１０の作用につき説明する。
【００９１】
実施例のパチンコ機１０において遊技を行う場合は、遊技者が操作ハンドル１６を操作して球発射装置１８を作動させることでパチンコ球を発射すると共に、発射したパチンコ球を、遊技盤２０の前面に形成された遊技領域２２に導くようにする。遊技領域２２には、パチンコ球が通過(入球)可能なゲート口２７ａが設けられたゲート部材２７が配設されており、該ゲート部材２７のゲート口２７ａに入球したパチンコ球は、ゲート部材２７に配設されたゲートセンサ２７ｂによって検出される。また、遊技領域２２には、パチンコ球が入賞可能な第２始動入賞口５２ａが設けられた始動入賞ユニット５０が配設されており、該始動入賞ユニット５０の第２始動入賞口５２ａに入球したパチンコ球は、始動入賞ユニット５０に配設された第２始動入賞検出センサＳＥ２によって検出される。ここで、第２始動入賞口５２ａは、始動入賞ユニット５０に設けられた開閉部材６０によって常には閉鎖されている。そして、開閉部材６０は、ゲートセンサ２７ｂでのパチンコ球の検出を契機とする普図当り判定の判定結果が当り(普図当り)となった場合に、主制御ＣＰＵ３３ａの制御により付与される普図当り遊技において開放制御される。すなわち、主制御ＣＰＵ３３ａ(開放制御手段)が開放制御を実行する場合に開閉部材６０が第２始動入賞口５２ａを開放して、第２始動入賞口５２ａのパチンコ球の入賞が可能となる。開閉部材６０は、始動入賞ユニット５０に備えられると共に揺動変位可能な連係部材(連係機構部)６２と連係されており、該連係部材６２は、駆動源としての始動入賞ソレノイドＳＬ１のプランジャＳＬ１ｂと連係されて、該始動入賞ソレノイドＳＬ１が消磁状態および励磁状態の一方から他方へ変化することで揺動変位するようになっている。そして、第２始動入賞口５２ａにパチンコ球が入賞すると(第２始動入賞検出センサＳＥ２による入賞検出がされると)、主制御ＣＰＵ３３ａが賞球の払い出しを決定すると共に、主制御ＣＰＵ３３ａからの指示を受けた払出制御基板３６が球払出装置１９を駆動制御して、主制御ＣＰＵ３３ａにより決定された個数に対応する賞球が払い出される。
【００９２】
ところで、パチンコ機１０に対する不正行為として、第２始動入賞口５２ａを不正具等で強制的に開放させてパチンコ球を不正入賞させる行為が行われる可能性がある。このような不正行為が行われると、普図当り遊技が付与されていないにも関わらず、第２始動入賞口５２ａへの不正入賞に対する賞球が払い出され、遊技店側が不利益を被る虞がある。これに対し、実施例のパチンコ機１０は、主制御ＣＰＵ３３ａと電気的に接続された開閉検出センサ(位置検出手段)ＳＥ３によって連係部材６２の揺動位置を検出することで、開閉部材６０の位置に応じた検出信号を主制御ＣＰＵ３３ａへ向けて出力する。具体的に、開閉検出センサＳＥ３は、開閉部材６０が閉鎖位置にある場合に検出信号としてオフ信号を出力する一方、開閉部材６０が閉鎖位置にない場合(閉鎖位置から開放位置側へ変位した位置にある場合)に検出信号としてオン信号を出力する。そして、開閉検出センサＳＥ３からの検出信号がオン信号であるかオフ信号であるかに応じて、開閉部材６０が閉鎖位置にあるか否かを主制御ＣＰＵ３３ａ(第２判定手段)が判定する。また、主制御ＣＰＵ３３ａが開放制御を行う期間に、主制御ＣＰＵ３３ａが主制御ＲＡＭ３３ｃに記憶される開放制御フラグの設定値を「０」から「１」に変更することで、開放制御フラグが「１」に設定されている場合に、開放制御が行われていると当該主制御ＣＰＵ３３ａ(第１判定手段)が判定する一方、開放制御フラグが「０」に設定されている場合に、開放制御が行われていないと当該主制御ＣＰＵ３３ａ(第１判定手段)が判定する。
【００９３】
すなわち、実施例のパチンコ機１０は、遊技領域２２が前面に形成された遊技盤２０と、遊技領域２２に設けられてパチンコ球が入賞可能な第２始動入賞口(入賞口)５２ａと、第２始動入賞口５２ａを開閉する開閉部材６０と、開閉部材６０および始動入賞ソレノイドＳＬ１に連係するよう設けられた連係部材(連係機構部)６２と、連係部材６２および開閉部材６０のうち何れかの位置を検出する開閉検出センサ(位置検出手段)ＳＥ３を備えると共に、主制御ＣＰＵ３３ａの機能として、始動入賞ソレノイドＳＬ１を励磁状態に駆動して連係部材６２を揺動させることで開閉部材６０を閉鎖位置から開放位置へ変位させる開放制御を実行する機能(開放制御手段)と、開放制御が行われているかを判定する機能(第１判定手段)と、開閉検出センサＳＥ３による検出状態に基づいて開閉部材６０が閉鎖位置にあるかを判定する機能(第２判定手段)とを備えている。すなわち、開放制御フラグの設定値に基づいて主制御ＣＰＵ３３ａ(第１判定手段)が開放制御が行われているかを判定すると共に、開閉検出センサＳＥ３の検出状態に基づいて開閉部材６０が閉鎖位置にあるかを主制御ＣＰＵ３３ａ(第２判定手段)が判定することで、主制御ＣＰＵ３３ａ(開放制御手段)による開放制御が行われていないにも関わらず開閉部材６０が閉鎖位置にない状態(開閉部材６０の異常開放エラー)を識別することが可能となる。すなわち、開閉部材６０が意図的に開放されている可能性のある状態を識別することができるから、前述した不正行為に対して早期に対処することができる。
【００９４】
また、実施例のパチンコ機１０は、主制御ＣＰＵ３３ａ(開放制御手段)による開放制御が行われていないにも関わらず開閉部材６０が閉鎖位置にない状態(開閉部材６０の異常開放エラー)を主制御ＣＰＵ３３ａが判定した場合に、第２始動入賞口５２ａへの入賞に対する賞球の払い出しを行わないようにする制御信号を主制御ＣＰＵ３３ａから払出制御基板３６へ向けて出力する。そして、当該制御信号を入力した払出制御基板３６は、第２始動入賞口５２ａへの入賞を契機とした賞球(パチンコ球)の払い出しが行われないよう払出制御基板３６が球払出装置１９を制御する。すなわち、開閉部材６０が意図的に開放されている可能性がある場合に、第２始動入賞口５２ａへの入賞に伴う遊技球の払い出しが行われない状態とすることにより、不正入賞に伴う遊技球の払い出しを確実に防ぐことができる。
【００９５】
更に、実施例のパチンコ機１０は、主制御ＣＰＵ３３ａ(開放制御手段)による開放制御が行われていないにも関わらず開閉部材６０が閉鎖位置にない状態(開閉部材６０の異常開放エラー)であることを主制御ＣＰＵ３３ａが判定した場合に、異常開放エラーの発生状態を報知するよう構成されている。ここで、パチンコ機１０は、図柄変動演出を行う演出手段としての図柄表示装置１７と、図柄変動演出に合わせた発光演出を行う演出手段としての枠ランプ１３ｃと、図柄変動演出に合わせた音声演出を行う演出手段としてのスピーカ１３ｄと、図柄変動演出に合わせた発光演出を行う演出手段としての遊技盤ランプ６３ａと、遊技に関する情報をホールコンピュータへ向けて外部出力するための外部情報出力端子盤３７とを備えており、これらを利用して異常開放エラーに関する情報を出力することで、異常開放エラーが発生したことを報知する。すなわち、実施例のパチンコ機１０は、情報を出力可能な出力手段として、枠ランプ１３ｃ、スピーカ１３ｄ、図柄表示装置１７、外部情報出力端子盤３７および遊技盤ランプ６３ａを備えており、主制御ＣＰＵ３３ａによる開放制御が行われていないにも関わらず開閉部材６０が閉鎖位置にないことを当該主制御ＣＰＵ３３ａが判定した場合に、開閉部材６０の異常開放に関する情報を、枠ランプ１３ｃ、スピーカ１３ｄ、図柄表示装置１７、外部情報出力端子盤３７および遊技盤ランプ６３ａから出力するようになっている。すなわち、開閉部材６０が意図的に開放されている可能性がある場合に、開閉部材６０が異常な開放状態にあることの情報を出力することで、不正入賞の発生を未然に防ぐことができる。
【００９６】
なお、実施例のパチンコ機１０は、主制御ＣＰＵ３３ａの機能として、始動入賞ソレノイドＳＬ１を励磁状態に駆動して連係部材６２を揺動させることで開閉部材６０を閉鎖位置から開放位置へ変位させる開放制御を実行する機能(開放制御手段)と、開放制御が行われているかを判定する機能(第１判定手段)と、開閉検出センサＳＥ３による検出状態に基づいて開閉部材６０が閉鎖位置にあるかを判定する機能(第２判定手段)とを備えていることで、開閉部材６０の開放不良エラーを判定し得るようになっている。すなわち、開放制御が行われていることを主制御ＣＰＵ３３ａ(第１判定手段)が開放制御フラグの設定値に基づいて判定し、かつ、開閉部材６０が閉鎖位置にあることを主制御ＣＰＵ３３ａ(第２判定手段)が開閉検出センサＳＥ３の検出状態に基づいて判定する場合に、主制御ＣＰＵ３３ａは、開放制御が行われているにも関わらず開閉部材６０が開放位置側へ変位していない状態(開放不良エラー)を識別し得る。そして、開放不良エラーを主制御ＣＰＵ３３ａが判定した場合に、出力手段としての図柄表示装置１７および外部情報出力端子盤３７から、開放不良エラーが発生したことを報知する。すなわち、実施例のパチンコ機１０は、開閉部材６０の開放不良に関する情報を出力することで、遊技者に損害が生じるのを防ぐことができる。
【００９７】
(変更例)
なお、遊技機の構成としては、前述した実施例に示したものに限らず、以下に示す如く種々の構成を採用可能である。
【００９８】
(１)  実施例では、入賞口(第２始動入賞口)を開閉する開閉部材と、開閉部材および駆動源に連係する連係機構部とを備えると共に、位置検出手段(開閉検出センサ)が連繋機構部の位置を検出することで間接的に開閉部材の位置を検出し得るように構成したが、位置検出手段(開閉検出センサ)が開閉部材の位置を直接的に検出するよう構成してもよい。
(２)  実施例では、入賞口としての第２始動入賞口を開閉する開閉部材の位置を位置検出手段(開閉検出センサ)で検出するよう構成したが、入賞口としての特別入賞口を開閉するシャッタ(開閉部材)の位置を位置検出手段(開閉検出センサ)で検出するよう構成してもよい。
(３)  実施例では、開閉部材の異常開放や開放不良に関する情報を出力する出力手段として、枠ランプ、スピーカ、図柄表示装置、外部情報出力端子盤および遊技盤ランプを用いるよう構成したが、枠ランプ、スピーカ、図柄表示装置、外部情報出力端子盤および遊技盤ランプのうち少なくとも何れかを出力手段として用いないようにしてもよい。また、主制御ＣＰＵにより制御される遊技情報表示部を出力手段として用いるようにしてもよい。
(４)  実施例では、不正入賞エラー、第１の異常開放エラー、第２の異常開放エラーおよび開放不良エラーを主制御ＣＰＵが判定すると共に、各エラーに応じて異なるエラー報知情報を出力手段から出力するように構成したが、これらのエラーのうち少なくとも何れかを判定しないようにしてもよい。
(５)  実施例では、不正入賞エラー、第１の異常開放エラー、第２の異常開放エラーおよび開放不良エラーを主制御ＣＰＵが判定すると共に、各エラーに応じて異なるエラー報知情報を出力手段から出力するように構成したが、２種類以上のエラーについて出力手段が出力するエラー報知情報を共通としてもよい。例えば、実施例では、外部情報出力端子盤に備えられる同一の端子から、各エラーに応じて態様の異なるエラー信号を出力するように構成したが、外部情報出力端子盤に備えられる同一の端子から、エラーの種類に関係なく共通態様のエラー信号を出力するように構成してもよい。
(６)  実施例では、外部情報出力端子盤に備えられる同一の端子から、各エラーに応じて態様の異なるエラー信号を出力するように構成したが、各エラーに対応するエラー信号を外部情報出力端子盤に備えられる異なる端子から夫々出力するように構成してもよい。
【符号の説明】
【００９９】
１３ｃ  枠ランプ(報知手段)
１３ｄ  スピーカ(報知手段)
１７  図柄表示装置(報知手段)
２０  遊技盤
２２  遊技領域
３７  外部情報出力端子盤(報知手段)
５２ａ  第２始動入賞口(入賞口)
６０  開閉部材
６２  連係部材(連係機構部)
６３ａ  遊技盤ランプ(出力手段)
ＳＬ１  始動入賞ソレノイド(駆動源)
３３ａ  主制御ＣＰＵ(開放制御手段、第１判定手段、第２判定手段、有効期間設定手段、不正入賞判定手段)
ＳＥ２  第２始動入賞検出センサ(入賞検出手段)
ＳＥ３  開閉検出センサ(位置検出手段)
【図１】
0006293105.tif 000002
【図２】
0006293105.tif 000003
【図３】
0006293105.tif 000004
【図４】
0006293105.tif 000005
【図５】
0006293105.tif 000006
【図６】
0006293105.tif 000007
【図７】
0006293105.tif 000008
【図８】
0006293105.tif 000009
【図９】
0006293105.tif 000010
【図１０】
0006293105.tif 000011
【図１１】
0006293105.tif 000012
【図１２】
0006293105.tif 000013